(57)【要約】位置特定に基づく無線消費者対話型システムが開示される。本システムは、第１の位置に近い事前に割り当てられた領域にわたる第１の無線ゾーンを生成するように構成された第１のアンテナを含む、第１の位置に定置された第１のゲートウェイ装置を含む。前記第１のゲートウェイ装置は、前記第１の無線ゾーンに接続されるクライアント装置と通信するように構成される前記第１のアンテナに連結される第１のネットワークインターフェースを含む。前記第１のゲートウェイ装置は、前記第１のネットワークインターフェースを介してサーバ装置から受信される第１のコンテンツプロファイルを記憶するように構成される第１のメモリを含み、前記第１のメモリは前記第１のコンテンツプロファイルの事前にロードされた消費者コンテンツを処理するための実行可能なプログラミング命令を記憶する。前記第１のゲートウェイ装置は、前記クライアント装置上に前記消費者コンテンツを含む第１の対話型コンテンツサイトを生成するように構成される第１のプロセッサを含む。2015501034.tif 000003
2015501034.tif 000002
【特許請求の範囲】
【請求項１】
第１の位置に定置される第１のゲートウェイ装置を備える、位置特定に基づく無線消費者対話型システムであって、
前記第１のゲートウェイ装置は、
前記第１の位置に近い事前に割り当てられた領域にわたる第１の無線ゾーンを生成するように構成される第１のアンテナと、
前記第１のアンテナに連結される第１のネットワークインターフェースであって、前記第１の無線ゾーンに接続されるクライアント装置と通信するように構成される、第１のネットワークインターフェースと、
前記第１のネットワークインターフェースを介してサーバ装置から受信される第１のコンテンツプロファイルを記憶するように構成される第１のメモリであって、前記第１のコンテンツプロファイルの事前にロードされた消費者コンテンツを処理するように、実行可能なプログラミング命令を記憶するように構成される、第１のメモリと、
前記プログラミング命令を実行するように構成される第１のプロセッサであって、この命令は前記第１のプロセッサに、前記第１のコンテンツプロファイルの前記消費者コンテンツを含む第１の対話型コンテンツサイトを生成させ、かつ前記第１の対話型コンテンツサイトを前記クライアント装置に送信させる、第１のプロセッサ
とをさらに備える、対話型システム。
【請求項２】
前記第１の位置に近い第２の位置に定置される第２のゲートウェイ装置をさらに備え、
前記第２のゲートウェイ装置は、
第２の位置に定置される第２のゲートウェイ装置をさらに備え、前記第２のゲートウェイ装置は、
前記第２の位置に近い事前に割り当てられた領域にわたる第２の無線ゾーンを生成するように構成される第２のアンテナと、
前記第２のアンテナに連結される第２のネットワークインターフェースであって、前記クライアント装置が前記第２の無線ゾーンに接続される際に前記クライアント装置と通信するように構成される、第２のネットワークインターフェースと、
前記第２のネットワークインターフェースを介してサーバ装置から受信される第２のコンテンツプロファイルを記憶するように構成される第２のメモリであって、前記第２のコンテンツプロファイルの事前にロードされた消費者コンテンツを処理するように、実行可能なプログラミング命令を記憶するように構成される、第２のメモリと、
前記プログラミング命令を実行するように構成される第２のプロセッサであって、この命令は前記第２のプロセッサに、前記第２のコンテンツプロファイルの前記消費者コンテンツを含む第２の対話型コンテンツサイトを生成させ、かつ前記第２の対話型コンテンツサイトを前記クライアント装置に送信させる、第２のプロセッサ
とをさらに備える、請求項１に記載の対話型システム。
【請求項３】
前記第１および第２のゾーンゲートウェイ装置は第１のゾーンサイトに配置され、前記第１および第２のゾーンは地理的に重ならないように構成される、請求項２に記載の対話型システム。
【請求項４】
前記第１のゲートウェイ装置の前記第１のメモリに記憶される前記第１のコンテンツプロファイルは、前記第２のゲートウェイ装置の前記第２のメモリに記憶される前記第２のコンテンツプロファイルとは異なり、それにより、前記クライアント装置によってアクセスされる前記第１の対話型コンテンツサイトは、前記クライアント装置によってアクセスされる前記第２の対話型コンテンツサイトとは異なるコンテンツである、請求項２に記載の対話型システム。
【請求項５】
前記第１および第２のゲートウェイ装置は、前記クライアント装置が第１の無線ホットスポットゾーンから第２の無線ホットスポットゾーンに移動したときに、第２の対話型ウェブ使用可能サイトを自動的に表示するように構成される、請求項２に記載の対話型システム。
【請求項６】
第１の製品は前記第１の無線ゾーン内に配置され、前記第１のコンテンツプロファイルは前記第１の製品に関連する第１の消費者コンテンツを含み、それにより、前記クライアント装置が前記第１の無線ゾーンに接続され、かつ前記第１の製品が前記クライアント装置の近くに物理的に配置されている間に、前記第１の消費者コンテンツが前記クライアント装置上に表示される、請求項１に記載の対話型システム。
【請求項７】
前記第１のゲートウェイ装置は、前記クライアント装置が前記第１のメモリ内にローカルに記憶される前記第１のコンテンツプロファイルの前記消費者コンテンツ以外のウェブサービスにアクセスすることを制限するように構成される、請求項１に記載の対話型システム。
【請求項８】
前記第１のゲートウェイ装置は店頭（ＰＯＰ）ステーションに接続され、前記第１のコンテンツプロファイルはユーザが第１のウェブ使用可能対話型サイトを介して決済サービスを使用して購入トランザクションを実施することを可能にするように構成され、前記第１のゲートウェイ装置は、前記ＰＯＰステーションおよび前記決済サービスによって前記購入トランザクションを通信する、請求項１に記載の対話型システム。
【請求項９】
前記第１のゲートウェイ装置は、ゾーン利害関係者インターフェースを介して前記第１のゲートウェイ装置と通信するように構成されたネットワーク装置上で実行される制御システムを介して遠隔的に構成可能である、請求項１に記載の対話型システム。
【請求項１０】
第１のアンテナの第１の利得および第２のアンテナの第２の利得は、前記ゾーン利害関係者インターフェースを介して遠隔的に調整可能である、請求項９に記載の対話型システム。
【請求項１１】
前記第１のゲートウェイ装置は、前記ネットワークインターフェースを介して前記制御システムから前記第１のコンテンツプロファイルの更新バージョンを自動的に受信するように構成され、前記第１のゲートウェイ装置は、前記更新バージョンを処理して、前記更新第１のコンテンツプロファイルに関する更新消費者コンテンツを、表示のために前記クライアント装置に送信できるようにする、請求項９に記載の対話型システム。
【請求項１２】
前記第１のゲートウェイ装置は、前記制御システムから受信し、前記第１のメモリ内にローカルに記憶された第１のアプリケーションを実行するように構成され、前記クライアント装置は、前記第１のゲートウェイ装置を介して、前記第１のアプリケーションと関連する第１のサービスを実行する、請求項９に記載の対話型システム。
【請求項１３】
少なくとも第１および第２のゲートウェイ装置は、前記クライアント装置のときにユーザ活動データを収集するように構成され、前記第１および第２のゲートウェイ装置は収集されたユーザ活動データをゾーンネットワークデータベースに送信し、前記収集されたユーザ活動データに関連する分析されたデータは、前記ゾーン利害関係者インターフェースを介して閲覧可能である、請求項１に記載の対話型システム。
【請求項１４】
前記第１のゲートウェイ装置は、前記ゾーンサイトにある間に前記クライアント装置の位置を判定するように構成されたロケータ構成要素をさらに含む、請求項１に記載の対話型システム。
【請求項１５】
前記第１のコンテンツプロファイルは、１つ以上のテンプレート構成要素を含むコンテンツテンプレートをさらに備え、各テンプレート構成要素は対応する割り当てられた消費者コンテンツ部分を有するように構成され、前記第１のプロファイルに関する各割り当てられた消費者コンテンツ部分は、前記第１のメモリ内に記憶される、請求項１に記載の対話型システム。
【請求項１６】
前記第１のコンテンツプロファイルは、関連消費者コンテンツを受信するために第１のゾーンゲートウェイ装置を識別する配備情報を含む、請求項１５に記載の対話型システム。
【請求項１７】
前記第１のコンテンツプロファイルは、関連消費者コンテンツを受信するために第３のゾーンゲートウェイ装置を識別する配備情報を含み、前記第３のゾーンゲートウェイ装置は第１のゾーンサイトから離れた第２のゾーンサイトにおける第３の位置に配置される、請求項１５に記載の対話型システム。
【請求項１８】
メモリからコンテンツプロファイルにアクセスする段階であって、前記コンテンツプロファイルはゾーン利害関係者と関連する少なくとも１つのテンプレート構成要素を有する、段階と、
前記少なくとも１つのテンプレート構成要素に適用されるコンテンツ部分を前記ゾーン利害関係者から受信する段階と、
受信したコンテンツ部分に関する配備命令を受信する段階であって、前記配備命令は、前記少なくとも１つのテンプレート構成要素において前記受信したコンテンツ部分を受信するために１つ以上のゾーンゲートウェイ装置を識別する、段階と、
前記受信したコンテンツ部分で少なくとも１つのテンプレート構成要素を更新する段階と、
ネットワーク接続を使用して識別された１つ以上のゾーンゲートウェイ装置に、更新されたテンプレート構成要素を自動的に配備する段階
とを含む方法。
【請求項１９】
少なくとも１つのプロセッサによって実行された際に前記プロセッサに方法を実施させる、機械で実行可能なコードを含む命令を記憶したプロセッサ可読媒体であって、
前記方法は、
ゾーン利害関係者に関連する少なくとも１つのテンプレート構成要素を有するコンテンツプロファイルにアクセスする段階と、
前記少なくとも１つのテンプレート構成要素に適用されるコンテンツ部分を前記ゾーン利害関係者から受信する段階と、
受信したコンテンツ部分に関する配備命令を受信する段階であって、前記配備命令は、前記少なくとも１つのテンプレート構成要素において前記受信したコンテンツ部分を受信するために１つ以上のゾーンゲートウェイ装置を識別する、段階と、
前記受信したコンテンツ部分で少なくとも１つのテンプレート構成要素を更新する段階と、
更新されたテンプレート構成要素を、前記識別された１つ以上のゾーンゲートウェイ装置に自動的に配備する段階
とを含む、プロセッサ可読媒体。
【発明の詳細な説明】
【技術分野】
【０００１】
本開示は、位置特定に基づく対話型消費者関与プラットフォームのためのシステムおよび方法に関する。
【背景技術】
【０００２】
背景
コンシューマエレクトロニクス（ＣＥ）装置は、強力なモバイル装置に進化し、豊富な対話型マルチメディアコンテンツを処理可能である。ほとんどのモバイル装置は、現在は８０２．１１ＷｉＦｉ等の標準無線ＬＡＮ（ＷＬＡＮ）インターフェースと共に出荷される。強力なＷＬＡＮ使用可能モバイル装置は、豊富な対話型インターネットコンテンツへのアクセスを提供し、これにより、そのような装置のための多くの新しい仕様およびアプリケーションが可能となる。
【０００３】
小売環境におけるモバイル装置を利用するソリューションは、伝統的に基本的低帯域幅アプリケーションに限定されてきており、したがって、スマートフォンのさまざまな能力の統合において非常な成功とはなっていない。１つの人気のあるやり方は、テキストとしてあるいは短いＵＲＬを含めてＳＭＳを介して案内やクーポンを登録済み消費者の携帯電話に送ることを含む。
【０００４】
ＳＭＳ等の受信時に、消費者はＵＲＬをクリックし、装置のブラウザを介して詳細を見ることができる。読み込まれたページの品質は、いくつかの要因に左右され、それには契約したデータプランあるいはその特定場所における利用可能な有効範囲を含む。
【０００５】
「ビッグボックス」小売店、モール、およびイベント開催地等の商業場所は、遍在するＷＬＡＮネットワークを一般的に装備しておらず、したがって、決定時点において豊富なコンテンツを介して消費者と対話する好機をしばしば逸し、これはオンライン小売業者も同様である。一部の商業場所はキヨスクを提示し、これは製品情報に対する豊富なアクセスを提供するために使用可能である。しかしながら、このやり方にはいくつかの短所があり、それは、店舗または開催地における戦略的場所に複数のキヨスクを配備する必要があり、また、消費者がキヨスクまで歩いて並ばなければならず、自分たちの順番を待っているかもしれない他者にチャンスを与えるために彼らの訪問を制限しなければならないことを含む。
【０００６】
小売支払アプリケーションは、接触に基づくあるいは無接触の装置−ＰＯＳ対話（例えば、ＲＦＩＤ、またはＮＦＣ）を介してしばしば達成され、これは時間が重要である売場における接続性問題を避けるために、ソリューションの一部として、あらゆる形式のＷＡＮベースのインターネットアクセスを一般的に回避する。
【０００７】
当技術分野には、ウェブブラウザを使用して標準ＷｉＦｉ使用可能モバイル装置を介して、決定時において豊富なローカル化プロダクトコンテンツと消費者が対話できるようにするシステムおよび方法が必要である。
【発明の概要】
【０００８】
概要
位置特定に基づく無線消費者対話型システムが開示される。このシステムは、第１の位置に配置される第１のゲートウェイ装置を含む。第１のゲートウェイ装置は、第１の場所に近い事前に割り当てられた領域にわたる第１の無線ゾーンを生成するように構成された第１のアンテナを含む。第１のゲートウェイ装置は、第１のアンテナに連結された第１のネットワークインターフェースを含む。第１のネットワークインターフェースは、第１の無線ゾーンに接続されるクライアント装置と通信するように構成される。第１のゲートウェイ装置は、第１のネットワークインターフェースを介してサーバ装置から受信される第１のコンテンツプロファイルを記憶するように構成される第１のメモリを含む。第１のメモリは、第１のコンテンツプロファイルの事前にロードされた消費者コンテンツを処理するための実行可能なプログラミング命令を記憶するように構成される。第１のゲートウェイ装置はプログラミング命令を実行するように構成される第１のプロセッサを含み、これは第１のプロセッサに第１のコンテンツプロファイルの消費者コンテンツを含む第１の対話型コンテンツサイトを生成させ、その第１の対話型コンテンツサイトをクライアント装置に送信させる。
【０００９】
このシステムは、第２の位置に配置される第２のゲートウェイ装置を含む。第２のゲートウェイ装置は第２の位置に近い事前に割り当てられた領域にわたる第２の無線ゾーンを生成するように構成される、第２のアンテナを含む。第２のゲートウェイ装置は、第２のアンテナに連結される第２のネットワークインターフェースを含む。第２のネットワークインターフェースは、第２の無線ゾーンに接続されるクライアント装置と通信するように構成される。第２のゲートウェイ装置は、第２のネットワークインターフェースを介してサーバ装置から受信される第２のコンテンツプロファイルを記憶するように構成される第２のメモリを含む。第２のメモリは、第２のコンテンツプロファイルの事前にロードされた消費者コンテンツを処理するための実行可能なプログラミング命令を記憶するように構成される。第２のゲートウェイ装置は、プログラミング命令を実行するように構成される第２のプロセッサを含み、これは第２のプロセッサに、第２のコンテンツプロファイルの消費者コンテンツを含む第２の対話型コンテンツサイトを生成させ、そして第２の対話型コンテンツサイトをクライアント装置に通信させる。
【００１０】
ある態様においては、第１および第２のゾーンゲートウェイ装置は第１のゾーンサイトに配置され、第１および第２のゾーンは地理的に重ならないように構成される。
【００１１】
ある態様においては、第１のゲートウェイ装置の第１のメモリ内に記憶される第１のコンテンツプロファイルは、第２のゲートウェイ装置の第２のメモリ内に記憶される第２のコンテンツプロファイルとは異なる。したがって、クライアント装置によってアクセスされる第１の対話型コンテンツサイトは、クライアント装置によってアクセスされる第２の対話型コンテンツサイトとはコンテンツが異なる。
【００１２】
ある態様においては、第１および第２のゲートウェイ装置は、クライアント装置が第１の無線ゾーンから第２の無線ゾーンへ移動したときに、第２の対話型ウェブ使用可能サイトを自動的に表示するように構成される。
【００１３】
ある態様においては、第１の製品は第１の無線ゾーン内に配置され、第１のコンテンツプロファイルは第１の製品に関連する第１の消費者コンテンツを含み、したがって、クライアント装置が第１の無線ゾーンに接続されている、および第１の製品がクライアント装置の近くに物理的に配置されているときに、第１の消費者コンテンツがクライアント装置上に表示される。
【００１４】
ある態様においては、第１のゲートウェイ装置は、第１のメモリ内にローカルに記憶される第１のコンテンツプロファイルの消費者コンテンツ以外のウェブサービスにクライアント装置がアクセスすることを制限するように構成される。
【００１５】
ある態様においては、第１のゲートウェイ装置は店頭（ＰＯＰ）ステーションに接続され、第１のコンテンツプロファイルは、ユーザが第１の第１のウェブ使用可能対話型サイトを介して決済サービスを利用して購入トランザクションを実施することを可能とするように構成され、第１のゲートウェイ装置はＰＯＰステーションおよび決済サービスと購入トランザクションの通信を行う。
【００１６】
ある態様においては、第１のゲートウェイ装置は、ゾーン利害関係者インターフェースを介して第１のゲートウェイ装置と通信するように構成されるネットワーク装置上で実行される制御システムを介して、遠隔的に構成可能である。
【００１７】
ある態様においては、第１のアンテナの第１の利得および第２のアンテナの第２の利得は、ゾーン利害関係者インターフェースを介して遠隔的に調整可能である。
【００１８】
ある態様においては、第１のゲートウェイ装置は、ネットワークインターフェースを介して制御システムから第１のコンテンツプロファイルの更新バージョンを自動的に受信するように構成され、第１のゲートウェイ装置は更新バージョンを処理し、更新第１のコンテンツプロファイルに関する更新消費者コンテンツを、表示するためにクライアント装置に送信できるようにする。
【００１９】
ある態様においては、第１のゲートウェイ装置は、制御システムから受信し、第１のメモリ内にローカルに記憶された第１のアプリケーションを実行するように構成され、クライアント装置は第１のゲートウェイ装置を介して第１のアプリケーションと関連する第１のサービスを実行する。
【００２０】
ある態様においては、少なくとも第１および第２のゲートウェイ装置はクライアント装置のときにユーザ活動データを収集するように構成され、第１および第２のゲートウェイ装置は収集されたユーザ活動データをゾーンネットワークデータベースに送信し、収集されたユーザ活動データと関連する分析済みデータはゾーン利害関係者インターフェースを介して閲覧可能である。
【００２１】
ある態様においては、第１のゲートウェイ装置は、ゾーンサイトにおいてクライアント装置の位置を判定するように構成されるロケータ構成要素をさらに備える。
【００２２】
ある態様においては、第１のコンテンツプロファイルは、１つ以上のテンプレート構成要素を含むコンテンツテンプレートをさらに含み、各テンプレート構成要素は対応する割り当てられた消費者コンテンツ部分を有するように構成され、第１のプロファイルに関する各割り当てられた消費者コンテンツ部分は、第１のメモリ内に記憶される。
【００２３】
ある態様においては、第１のコンテンツプロファイルは、関連消費者コンテンツを受信するために第１のゾーンゲートウェイ装置を識別する配備情報を含む。
【００２４】
ある態様においては、第１のコンテンツプロファイルは関連する消費者コンテンツを受信するために第３のゾーンゲートウェイ装置を識別する配備情報を含み、第３のゾーンゲートウェイ装置は第１のゾーンサイトから離れた第２のゾーンサイトにおける第３の位置に配置される。
【図面の簡単な説明】
【００２５】
【図１Ａ】本開示のある態様に従う、１つ以上のゾーンゲートウェイ装置を有するゾーンシステムを利用するシステム環境例を図解した図。
【図１Ｂ】本開示のある態様に従う、複数のゾーンゲートウェイ装置を利用するゾーンサイトを図解する俯瞰図。
【図１Ｃ】本開示のある態様に従う、接続されたゾーン内のゾーンゲートウェイ装置によって提供される消費者コンテンツを表示するクライアント装置を図解するスクリーンショット例。
【図２Ａ】本開示のある態様に従う、ゾーンマネージングモジュールを実装するように構成されたゾーンゲートウェイ装置を図解するブロック図。
【図２Ｂ】本開示のある態様に従う、制御センターモジュールを実装するように構成されたネットワーク使用可能装置を図解するブロック図。
【図３】本開示のある態様に従う、ゾーンマネージングモジュールを図解するブロック図。
【図４Ａ】本開示のある態様に従う、制御センターモジュールを図解するブロック図。
【図４Ｂ】本開示のある態様に従う、制御センターモジュールのネットワークマネジメントモジュールを図解するブロック図。
【図５】本開示のある態様に従う、ゾーンマネージャーモジュールにより実施される方法を少なくとも部分的に図解する流れ図。
【図６】本開示のある態様に従う、制御モジュールによって実施される方法を少なくとも部分的に図解する流れ図。
【発明を実施するための形態】
【００２６】
概して、本開示は、無線ＷｉＦｉホットスポットゾーンを生成するように構成された複数のゾーンゲートウェイ装置を含むゾーンネットワークシステムに向けられている。各ゲートウェイ装置もそれぞれのゾーン内にユニークなローカル化消費者コンテンツを提供するように構成され、それにより、消費者コンテンツは消費者によって操作される接続されたクライアント装置上に表示可能である。クローズドゾーンホットスポットを提供することにより、消費者に提供される消費者コンテンツは容易に制御される。さらに、消費者コンテンツをゲートウェイ装置上にローカルに記憶することにより、使用するたびにコンテンツを提供するためにモバイルまたは地上配備の広域ネットワークが作業を課せられないため、コンテンツの配達は比較的素早く、品質も高い。
【００２７】
ゾーンネットワークシステムは、消費者コンテンツがゾーン利害関係者によってシステムに対して遠隔的にアップロードされることを可能とするように設計され、これにより、システムは、カスケード方式により、ロジックを利用してアップロードされた消費者コンテンツをゾーンネットワーク内の適切に識別されたゾーンゲートウェイ装置に効率的にプッシュ型配信する。言い換えれば、消費者コンテンツは１回作成され、アップロードされる必要がある。一旦アップロードされると、ゾーンネットワークシステムは既に所定位置にあるパラメータに基づいて消費者コンテンツを自動的に配備する。
【００２８】
ゾーンネットワークシステムにはいくつかの利点がある。消費者コンテンツがゾーンゲートウェイ装置上にローカルに記憶可能とされる能力は、より早く、品質の高い消費者体験を可能にする。希望するサイズおよび力のゾーンを生む各ゾーンゲートウェイ装置を構成する能力により、消費者がシステムと対話する特定場所が提供される。ゾーンネットワークシステムは、ゲートウェイ装置と対話するときに消費者活動を追跡し、監視する能力を有し、これにより、より深い洞察力を得、また任意のゾーンサイトにおける消費者行為を理解する機会を提供する。
【００２９】
特に本記述において、ゾーン利害関係者は希望する方法で動作するように１つ以上のゾーンゲートウェイ装置１１０を構成することができる。ゾーン管理者のいくつかの例は、商人、製品のスポンサー、広告代理店または媒体バイヤー、サードパーティ支払ベンダー、ゾーンサイトサービスプロバイダ、および／またはゾーンネットワークおよび／または１つ以上のゾーンゲートウェイ装置１１０に対するアクセスを与えられたそれ以外の人である。
【００３０】
ゾーンネットワークは１つ以上の物理的ゾーンサイトとして構成し得、これは物理的戸内および／または戸外場所等であり、１つ以上のゾーンゲートウェイ装置がセットアップされ、１つ以上の無線ゾーンを確立および維持するように構成される。ゾーンサイトは、商品およびサービスが販売、レンタル、リース、あるいは何らかの方法で促販される店舗であり得る。いくつかの非限定例は、百貨店、コンビニ、自動車ディーラー、レストラン、バー、教育機関、校内購買部等を含む。ある態様においては、ゾーンサイトは、いくつかの商業的または小売サイトを収容し、運営する１つ以上の建物であり得、これらは、スタジアム、アリーナ、空港、カジノ、スキー場、海洋大型クルーザー、乗換駅等である。ある態様においては、ゾーンサイトは建物内部ばかりでなく、建物外部の領域を含み、これらは駐車場（例えば、自動車ディーラー）、給油スタンド、園芸用品店等である。ゾーンサイトは静止的ばかりでなく、モバイルも可能であり、車、ボート、バス、地下鉄、通勤電車、空港リムジンバス等を含む。
【００３１】
消費者コンテンツは、それらに限定されないが、広告、製品情報、製品詳細、提示、促販、オーディオ、ビデオ、ゲーム、クーポン、ブランド図形、写真、リンク、埋め込みビデオ、世論調査、ニュース更新の提示、ロイヤリティポイントまたは報酬、キャンセル待ち、ローカル社会相互行為等を含むことが可能である。そのような消費者コンテンツは、プレゼントの提示および／またはユーザに対する獲得ロイヤリティポイント情報の提供を含み得、関連コンビニ店９９を訪れて追加の買い物や、ガソリンのクレジットカードの利用等をかきたてる。代わりに、消費者は洗車、オイル交換等の追加サービスのディスカウントを提供されることも可能である。
【００３２】
図１Ａは、本開示のある態様に従う、１つ以上のゾーンゲートウェイ装置を有する複数のゾーンネットワークを実装およびマネジメントする、システム環境例の図を図解する。特に、システム環境例１００は複数のネットワーク使用可能ゾーンサイト１０６（Ａ）〜１０６（Ｎ）と接続される１つ以上のネットワークサーバ装置１０２（１）〜１０２（Ｎ）等の複数のネットワーク装置を含み、各ゾーンネットワークは１つ以上のゾーンゲートウェイ装置１１０を含む。環境１００は他の配列において他の数および型式の装置を含み得ることに注目されたい。用語「ネットワーク装置」は、１つ以上のクライアント装置、１つ以上のサーバ、仮想機械、および／または他のシステム１００内の構成要素を含むものとして参照可能であることに注目されたい。次の点も注目されたい、すなわち、ゾーンシステム、その構成要素、ならびにサーバは本明細書中において複数として参照され得るが、ただ１つのゾーンシステムまたはゾーンシステム群が１つの構成要素を有することが可能と考えられ、および／または、サーバは本明細書中に使用される言語に限定されることなく、単一として考慮され得る。次の点を理解されるべきである、すなわち、図１に示されるシステム１００の特定構成は、例示目的のみに提供され、したがって限定はしていない。
【００３３】
サーバ１０２（１）〜１０２（Ｎ）は、ウェブベースおよび／または非ウェブベースアプリケーション、コンテンツ、および他のデータを、ネットワーク１０４を介してカスケード方式により、１つ以上のゾーンネットワーク１０６（１）〜１０６（Ｎ）間の１つ以上のゾーンゲートウェイ装置１１０に提供することのできる、１つ以上のネットワーク装置または機械を備える。特に、サーバ１０２（１）〜１０２（Ｎ）は、コンテンツプロファイルおよび関連データ、ならびにユーザプロファイルおよびポリシー情報を、１つ以上のゾーンサイト１０６（１）〜１０６（Ｎ）にプッシュ型配信し得る。ある態様においては、１つ以上のサーバ１０２（１）〜１０２（Ｎ）は制御モジュール４００（図４Ａ）を含み、これは１つ以上のゾーン利害関係者が１つ以上のゾーンゲートウェイ装置１１０に関連する情報にアクセスし、閲覧することを可能にし、また、アクセス可能ゾーンゲートウェイ装置１１０から提供される分析情報を評価することを可能にする。さらに、１つ以上のゾーン利害関係者は、制御モジュール４００（図４Ａ）を使用して、コンテンツを作成し、作成されたコンテンツを１つ以上のゾーンゲートウェイ装置１１０に配備し得、より詳細に以下に論議される。
【００３４】
サーバ１０２（１）〜１０２（Ｎ）は、ウェブページ、物理的物体の画像、ユーザアカウント情報、ストリーミングビデオ、オーディオおよび／またはライブ放送、およびあらゆる他のオブジェクトおよび情報をも提供するように構成される。サーバ１０２（１）〜１０２（Ｎ）は、ゾーンシステム１０６（１）〜１０６（Ｎ）の１つ以上の構成要素から、分析情報、ユーザ活動情報、支払トランザクション情報等を取得するようにも構成され得る。次の点に注目されたい、すなわち、サーバ１０２（１）〜１０２（Ｎ）は、他の仕事を実施し得、また具体的に前述されない他の型式のリソースを提供し得る。
【００３５】
ある態様においては、１つ以上のサーバ１０２（１）〜１０２（Ｎ）がデータを保持する１つ以上の記憶手段に接続され、環境１００を操作ならびにマネジメントするために利用される。ある態様においては、１つ以上のサーバ１０２は複数のサーバのクラスタを含み得、これらはネットワークトラフィックマネジメント装置（例えば、ファイアウォール、負荷バランサ、ウェブアクセラレータ）、ゲートウェイ装置、ルータ、ハブ等によりマネジメントされるものである。ある態様においては、１つ以上のサーバ１０２（１）〜１０２（Ｎ）はＭｉｃｒｏｓｏｆｔ（登録商標）ＩＩＳサーバ、ＲＡＤＩＵＳサーバおよび／またはＡｐａｃｈｅ（登録商標）サーバのあるバージョンを実装し得るが、しかしながら、他の型式のサーバも使用し得、また他の型式のアプリケーションもサーバ１０２（１）〜１０２（Ｎ）上で利用し得る。
【００３６】
ネットワーク１０４はインターネット等の公にアクセス可能なネットワークを備え、これはゾーンサイト１０６（Ａ）〜１０６（Ｎ）内のゾーンゲートウェイ装置１１０とサーバ１０２（１）〜１０２（Ｎ）間の通信を、ＩＥＥＥ８０２．１１ＷｉＦｉ接続および／または移動ネットワーク接続を介して取り扱う。しかしながら、ネットワーク１０４は他の型式の私的および公的ネットワークを含み得ると考えられる。クライアント装置１０１（Ａ）〜１０１（Ｎ）、ゾーンサイト１０６（１）〜１０６（Ｎ）、およびサーバ１０２（１）〜１０２（Ｎ）間の通信は、好ましくは、ＨＴＴＰ、ＵＤＰ、ＲＡＤＩＵＳおよびＴＣＰ／ＩＰプロトコル等の標準ネットワークプロトコルに従ってネットワーク１０４を介して生じる。
【００３７】
さらに、当然のことながら、ネットワーク１０４はローカル領域ネットワーク（ＬＡＮ）、広域ネットワーク（ＷＡＮ）、直接接続およびそれらの任意の組み合わせ、ならびに、他の型式および数のネットワーク型式を含み得る。異なる構造およびプロトコルに基づくものを含む、ＬＡＮまたは他のネットワークの相互接続セットにおいて、ルータ、スイッチ、ハブ、ゲートウェイ、ブリッジ、および他の中間ネットワーク装置は、ＬＡＮ、ＷＡＮ、および他のネットワーク内、またはＬＡＮ、ＷＡＮ、および他のネットワーク間でリンクとして働き得、メッセージおよび他のデータがネットワーク装置間で送受信されることを可能とする。また、ＬＡＮおよび他のネットワーク内およびそれらの間の通信リンクは、撚り線対（例えば、Ｅｔｈｅｒｎｅｔ）、同軸ケーブル、アナログ電話線、モバイルセルタワー、Ｔ１、Ｔ２、Ｔ３、およびＴ４を含む全または部分的専用デジタルライン、サービス総合ディジタル網（ＩＳＤＮ）、Ｄｉｇｉｔａｌ  Ｓｕｂｓｃｒｉｂｅｒ  Ｌｉｎｅｓ（ＤＳＬ）、ケーブル、光ファイバー、衛星リンクを含む無線リンク、および当業者にとって知られる他の通信リンクを一般的に含む。
【００３８】
各ゾーンネットワーク１０６（Ａ）〜１０６（Ｎ）は、１つ以上の地理的ゾーンサイト間に設定された１つ以上のネットワークゾーンゲートウェイ装置（一般的に、参照番号１１０）を備える。特に図１Ａにおいて、第１のゾーンネットワーク１０６（Ａ）は、１つ以上のゾーンゲートウェイ装置１１０Ａ（１）〜１１０Ａ（Ｎ）を含む。ある態様においては、必ずしも必要ではないが、１つ以上のゾーンゲートウェイ装置１１０Ａ（１）〜１１０Ａ（Ｎ）は専用手段を介して、またはクラウドを介して、１つ以上のサーバおよび／またはデータベース等の、１人以上の商人自身のコンピュータネットワークと通信可能である。
【００３９】
さらに図１Ａにおいて、第２のゾーンネットワーク１０６（Ｂ）は、ネットワーク１０４を介してサーバ１０２（１）〜１０２（Ｎ）と通信を行う１つ以上のゾーンゲートウェイ装置１１０Ｂ（１）〜１１０Ｂ（Ｎ）を含む。ある態様においては、１つ以上のゾーンゲートウェイ装置１１０Ｂ（１）〜１１０Ｂ（Ｎ）は、専用手段を介して、またはクラウドを介して、１つ以上のサーバおよび／またはデータベース等の一人以上の商人自身のコンピュータネットワークと通信可能である。
【００４０】
ある態様においては、図１Ａに示されるように、環境１００はネットワーク１０４を介してサーバ１０２（１）〜１０２（Ｎ）と直接通信する１つ以上のゾーンゲートウェイ装置１１０Ｃ（１）〜１１０Ｃ（Ｎ）を含む、第３のゾーンネットワーク１０６（Ｃ）を含み得る。ある態様においては、１つ以上のゾーンゲートウェイ装置１１０Ｃ（１）〜１１０Ｃ（Ｎ）は、その商人専用のネットワーク装置と通信を行わない。次のことが注目されるべきである、すなわち、任意の数のゾーンネットワーク１０６（Ｎ）が考えられ、したがって、図１Ａに示される３つのゾーンネットワークには限定されない。
【００４１】
各ゾーンネットワーク１０６は、事前に決定された強度および方向の無線ＷｉＦｉホットスポット「ゾーン」を提供するように構成された１つ以上のゾーンゲートウェイ装置１１０を備え、そのゾーンは指定されたサイズの特定物理的領域にわたる。特に、ゲートウェイ装置１１０は、その割り当てられたゾーンに関し、対話型ウェブおよび／または非ウェブコンテンツをクライアント装置１０１（以後「消費者コンテンツ」と表現する）に提供し、これらは物理的にその割り当てられたゾーン内にあるときに、そのゲートウェイ装置１１０に無線で接続できる。特定ゾーンゲートウェイ装置１１０がそのゾーンにおいて提供する消費者コンテンツは、ローカルに記憶されたコンテンツプロファイルから取得され、そのプロファイルは、制御センターモジュール４００（図４Ａ）からゲートウェイ装置１１０に対してすでにアップロードされた既成の、完成された消費者コンテンツを含むものである。ある態様においては、特定のゲートウェイ装置１１０に関するコンテンツプロファイルにロードされる消費者コンテンツは、ゾーンの地理的場所内にある実際の物理的商品および／またはサービスに基づいて事前に決定される。したがって、ある態様においては、表示されようとする消費者コンテンツはそのゾーンに対してユニークである。
【００４２】
１つ以上のゾーンゲートウェイ装置１１０は、クライアント装置１０１ばかりでなく、同一ゾーンサイト１０６における、および／または別の遠隔ゾーンサイト１０６における、１つ以上の他のゾーンゲートウェイ装置１１０と通信するように構成可能である。１つ以上のゾーンゲートウェイ装置１１０。１つ以上のゾーンゲートウェイ装置１１０を使って、安全な臨時のネットワーク通信プラットフォームを作成することも可能である。ゾーンサイト内の異なる場所において、購入およびトランザクションがクライアント装置と行われているというシナリオにおいては、そのような安全な通信は、ゾーンおよび／または他のカスタム構成により自動的にセグメント化されるゾーンゲートウェイ装置を介して取扱い可能である。別のシナリオにおいては、実時間通信（例えばＶｏＩＰ、Ｃｈａｔ、Ｉｎｓｔａｎｔ  Ｍｅｓｓａｇｉｎｇ、Ｖｉｄｅｏ  Ｃｏｎｆｅｒｅｎｃｉｎｇ、ＢＢＳ、ウェブ）は、中央メッセージ処理サーバの必要性なく、１つのクライアント装置から別の装置へゾーンネットワークを使用して渡され得る。これらの「スタッフ」型式サービスは、同一ハードウェア上で（ＶＬＡＮまたは暗号化ＳＳＩＤにより分離されて）「クライアント」サービスと平行して実行し得る。
【００４３】
１つ以上の態様において、１つ以上のゾーンゲートウェイ装置１１０はその割り当てられたゾーンが「クローズド」、「部分的クローズド」、または「オープン」となるように構成され得る。ゾーンが「クローズド」である態様においては、ゾーンゲートウェイ装置１１０は、ゲートウェイ装置１１０によりゾーン内に提供されるローカルに記憶された消費者コンテンツを除いて、いかなるゾーン接続クライアント装置１０１であっても、いかなる他のウェブサイトあるいは他のウェブ関連主題にもアクセスおよび／または閲覧することを許さない。ゾーンが「部分的クローズド」である態様においては、ゾーンゲートウェイ装置１１０は、ゾーン接続クライアント装置１０１が提供された消費者コンテンツならびに１つ以上の事前に選択されたウェブサイト（例えば、ソーシャルメディア、ゾーン利害関係者のウェブサイト、物理的にゾーン内に配置された商品／サービスのウェブサイト）を閲覧するためにアクセスすることを部分的に制限する。ゾーンが「オープン」である態様においては、ゾーンゲートウェイ装置１１０はユーザに対して無制限のアクセスを許可し、これにより、ユーザは提供された消費者コンテンツを閲覧するばかりでなく、ゾーンに接続されている間にすべての他のウェブサイトにアクセスし、閲覧することを許可する。ゾーンゲートウェイ装置１１０に関するより多くの情報は、以下に論議される。
【００４４】
本開示に従い、クライアント装置１０１は、クライアント装置１０１が接続されるゾーンを提供するゾーンゲートウェイ装置１１０と通信する。ある例においては、クライアント装置１０１は、ウェブブラウザまたは１つ以上のゾーンゲートウェイ装置１１０とヒトユーザが通信するための手段を提供する他のソフトウェア（例えば、モバイルアプリケーション）を実行するように構成され得る。１つ以上のウェブベースまたは非ウェブベースアプリケーションは、したがって、要求されたデータをクライアント装置１０１に提供し、および／または、ユーザのために要求された命令を実施するゾーンゲートウェイ装置１１０および／またはサーバ１０２（１）〜１０２（Ｎ）上で実行し得る。クライアント装置１０１はゾーンネットワーク１０６を訪れるユーザにより所有または操作される装置であり得、あるいは、ゾーンサイトにおいて従事、対話するために訪問者のための表示としてゾーン利害関係者によって提供されるネットワーク使用可能電子装置であり得る（例えば、促販対話型ディスプレイ、デモンストレーションビデオゲームプレーヤ）。
【００４５】
そのようなクライアント装置１０１の非限定的および非網羅例は、それらに限定されないが、デスクトップ、ラップトップ等のパーソナルコンピュータ、携帯電話および／またはスマートフォン、キヨスク、タブレットデバイス、ミニタブレット、ＰＤＡ、セットアップメディアボックス、マルチメディアセンタ、スマートＴＶ、およびＪａｖａ、Ｃ＋、Ｃ＋＋、ＨＴＭＬ、Ｊａｖａｓｃｒｉｐｔ、．Ｎｅｔフレームワーク等で書かれたソフトウェアコードを含む標準ブラウザまたは専用モバイルアプリケーション（すなわち「モバイルアプリ」）を介して、１つ以上のゾーンゲートウェイ装置１１０と通信を行う他のあらゆるネットワーク使用可能電子装置を含む。
【００４６】
図１Ｂは、本開示のある態様に従う、複数のゾーンゲートウェイ装置を利用するゾーンネットワーク例の俯瞰図を図解する。前述のように、ゾーンネットワーク１０６は物理的ゾーンサイト内にあるように構成され得、それらは物理的戸内および／または戸外場所で、そこでは１つ以上のゾーンゲートウェイ装置１１０が設定され、１つ以上の無線ゾーンを確立および維持するために構成される。ゾーンサイトは、商品およびサービスが販売、レンタル、リース、あるいはその他の促進が行われる店舗であり得る。いくつかの非限定的例は、百貨店、コンビニ、自動車ディーラー、レストラン、バー、教育施設、コンベンションセンター、学内購買部等を含む。ある態様においては、ゾーンサイトは、いくつかの商業的または小売サイトを収容し、運営する１つ以上の建物であり得、これらは、スタジアム、アリーナ、空港、カジノ、スキー場、海洋大型クルーザー、乗換駅等である。ある態様においては、ゾーンサイトは建物内部ばかりでなく、建物外部の領域を含み、これらは駐車場（例えば、自動車ディーラー）、給油スタンド、園芸用品店等である。
【００４７】
次の点が注目される、すなわち、ゾーンサイトは屋外等の戸外開催地であり得、そこでは、ゾーンシステムは取り外し可能に設定可能で、戸外でもたれるイベントのために実装される。ゾーンシステムはイベントがもたれた後にオフラインにし、取り壊し、または分解して取り除かれるように構成され、したがって、ゾーンシステムは、イベント中は一時的に実装されて操作され、その後にその領域内に存在した痕跡を残さずに戸外領域から除去可能である。戸外フェア等、ゾーンサイトが戸外領域である態様においては、１つ以上のゾーンゲートウェイ装置を戦略的場所に設定し、ロードして、参加商人の幾人かの商品またはサービスをユニークに陳列することが可能である。訪問者はゾーンゲートウェイ装置と任意の１つと接続し、クライアント装置が接続される特定ゾーン固有の陳列コンテンツと対話可能である。
【００４８】
図１Ｂの例に戻って参照すると、ゾーンネットワーク１０６は建物９９を含むゾーンサイトに設定され、そこでは、１つ以上のゾーンゲートウェイ装置１１０が設定され、複数のゾーンを操作するように構成される。特に、図１Ｂ内の建物例９９は、北側通路９８と南側通路９７を含み、両方共東西方向に平行に伸びる。さらに、店頭端末（例えば、金銭登録機、クレジットカード読み取り機）を有する１つ以上のキャッシャーカウンタ９６が、この例では、建物９９の東側に配置される。さらに、図１Ｂに示される例では、ゾーンサイトは外側アイランド９５を含み、これはガソリンアイランド、ガーデンセンター、自動車領域等の建物９９の外側である。
【００４９】
図１Ｂ中に実装されたゾーンネットワーク例１０６に関し、ゾーンネットワーク１０６は南通路９７の西側に選択的に配置された第１のゾーンゲートウェイ装置１１０（１）、北通路９８の西側に選択的に配置された第２のゾーンゲートウェイ装置１１０（２）、北通路９８の東側に選択的に配置された第３のゾーンゲートウェイ装置１１０（３）、建物９９の南東角に選択的に配置された第４のゾーンゲートウェイ装置１１０（４）、建物９９の南端に選択的に配置された第５のゾーンゲートウェイ装置１１０（５）、キャッシャーカウンタ９６の近く、建物９９の東側に選択的に配置された第６のゾーンゲートウェイ装置１１０（６）、および建物の北側に配置されるように構成された第７のゾーンゲートウェイ装置１１０（７）を含み、第７のゾーンゲートウェイ装置１１０（７）は戸外アイランド９５の周囲の領域にわたるゾーンを提供するように構成される。ゲートウェイ装置の数および場所は例示的なものであり、いかなる形においても限定していないと考えるべきであることに注目されたい。
【００５０】
前述のように、各ゾーンゲートウェイ装置１１０は１つ以上のアンテナから無線信号を発信し、１つ以上のゾーンを作成、維持する。各ゾーンゲートウェイ装置１１０は、ゾーンネットワークがオンラインとなる前に、ゾーンサイトにおける指定された場所で設定されるようにゾーン利害関係者によって選択される。さらに、設定処理中、各ゲートウェイ装置１１０は事前に割り当てられた利得および方向のアンテナ信号を発信するように構成され、したがって、生成されたゾーンは１つ以上のゾーン利害関係者によって提供される構成データに基づいて事前決定強度および有効範囲の割り当てられた地理的場所にわたる。さらに、消費者コンテンツは、コンテンツプロファイル内の１つ以上のゾーンゲートウェイ装置１１０上に事前にロードされ、コンテンツプロファイル自体ならびに組み込まれた消費者コンテンツが一人以上のゾーン利害関係者によって判定される。設定処理に関するさらなる詳細が以下に論議される。
【００５１】
一旦クライアント装置１０１がゾーンに接続されると、そのゾーンの責任ゲートウェイ装置１１０は公表された消費者コンテンツをクライアント装置１０１にプッシュ型配信し、消費者コンテンツはクライアント装置１０１ウェブブラウザまたはそのようなコンテンツを表示するように構成された専用のモバイルソフトウェアアプリケーションを通してユーザが見ることができる。そのような消費者コンテンツは、それらに限定されないが、広告、製品情報、製品詳細、提示、促販、ストリーミングメディア、オーディオファイル、ビデオファイル、ゲーム、クーポン、ブランド図形、写真、リンク、埋め込みビデオ、世論調査、ニュース更新の提示、ロイヤリティポイントまたは報奨等を含むことが可能である。したがって、ゾーンゲートウェイ装置１１０はウェブならびに非ウェブベースのサービスを提供可能である。
【００５２】
図１Ｂに示されるゾーンサイトにおけるゾーンネットワーク例に戻って参照すると、クライアント装置１０１Ａを操作するユーザは、建物９９に入り、ゲートウェイ装置１１０（３）によって提供されるゾーンに接続し、そこでは、ゾーンにおいて、またはその近くにおける棚の上にソフトドリンク、ジュース、およびアルコールドリンクが貯蔵されている。このシナリオ例では、ゾーンゲートウェイ装置１１０（３）にロードされるコンテンツプロファイルは、一人以上のゾーン利害関係者によって提供される消費者コンテンツを含み、これは装置１１０のゾーンにおいて、またはその近くに物理的に配置される１つ以上の製品および／またはサービスに向けられている。特に本例に関し、ゾーンゲートウェイ装置１１０（３）は１つ以上のソフトドリンク、１つ以上のジュース、および１つ以上のアルコールドリンク（またはそれぞれのブランド提供者）に関連する消費者コンテンツを図１Ｃに示されるように、クライアント装置１０１Ａにプッシュ型配信する。
【００５３】
図１Ｃは、本開示のある態様に従う、接続されたゾーン内のゾーンゲートウェイ装置によって提供される消費者コンテンツを表示するクライアント装置のスクリーンショット例を図解する。図１Ｃに示されるように、クライアント装置１０１Ａはゾーンゲートウェイ装置１１０（３）からプッシュ型配信される消費者コンテンツを受信し、そこにおいて、消費者コンテンツは標準またはカスタマイズされたウェブブラウザにおいて、あるいは、他の消費者コンテンツを表示可能なソフトウェアソリューションによって表示される。図１Ｃで見ることができるように、表示された消費者コンテンツは、複数の分離したテンプレート構成要素１１４〜１２８に編成されるコンテンツテンプレート１１２として編成される。より詳細に以下に論議されるが、消費者テンプレート１１２は一人以上のゾーン利害関係者によって設計され、各テンプレート構成要素は他のゾーン利害関係者（例えば、製品／サービス製造者、商人、スポンサー）によって購入、レンタル、維持、および操作される。図１Ｃにおけるコンテンツテンプレート１１２に関し、構成要素１１４は棚９８に貯蔵された、ブランドＡによって生産される新しく入手可能なジュースに向けられる消費者コンテンツを含み、構成要素１１６は、棚９８上に貯蔵された、ブランドＡによるソフトドリンクに関するユーザが交換可能なクーポンに向けられそして構成要素１１８はブランドＡのアルコール飲料に関するユーザがプレイ可能なビデオゲームに向けられる。さらに、構成要素１２０はブランドＢにより提供される再生可能ミュージックビデオに向けられた消費者コンテンツを含み、構成要素１２２はブランドＢによって提供されるダウンロード可能なオーディオファイル（例えば、ｍｐ３）に向けられた消費者コンテンツを含み、構成要素１２６および１２８はブランドＢのソフトドリンクおよびアルコール飲料に向けられたロイヤリティプログラム消費者コンテンツを含み、この消費者コンテンツはユーザがコンテンツに関与することに関連するロイヤリティポイントを集めることを可能とする。ユーザがコンテンツ構成要素に表示される任意の消費者コンテンツを選択できるようになるためには、ユーザは単に該当する構成要素ボックスを選択することを必要とされるのみで、そこでは、追加ウェブコンテンツがクライアント装置１０１Ａ上に表示される。
【００５４】
前述のように、特定ゾーンサイトにおける１つ以上の（すべてを含む）ゾーンゲートウェイ装置１１０は、各ゾーンごとに少なくとも部分的に異なる消費者コンテンツを提供させるコンテンツプロファイルを記憶する。図１Ｂ内の例に戻って参照すると、ゲートウェイ装置の１１０（２）ゾーンに接続するクライアント装置１０１Ｂを操作するユーザは、クライアント装置１０１Ａに表示されるものとは異なる、消費者コンテンツを彼のクライアント装置１０１Ｂ上で見るであろう。例えば、ゲートウェイ装置１１０（２）は、デザート製品、ベーキング商品、および対応するベーキングレシピに向けられる消費者コンテンツを表示し得、これは、デザートおよびベーキング製品は棚９８の西端の棚上にあるからである。別の例では、クライアント装置１０１Ｃのユーザは、クライアント装置１０１Ｂから、通路の反対側にあるゲートウェイ装置１１０（１）によって生成されるゾーンに接続し得、そこでは、棚９７の西側が小型の料理器具を収納する。したがって、ユーザはクライアント装置１０１Ｃを通してゲートウェイ装置１１０（１）から、広告される料理器具に向けられている消費者コンテンツを閲覧し得、これは、製品仕様、相互比較機能、評価、オンライン発注（家庭配達または店頭持ち帰り）等である。
【００５５】
したがって、ゾーンネットワーク１０６はいくつかの利点をブランドメーカーならびに製品／サービスに向けられた消費者コンテンツと対話している間に、実際の製品／サービスがユーザに物理的に近いという利点を考慮する商人に提供する。ゾーンネットワーク１０６は、これにより、消費者がそれらの製品の購入に至ること、および／またはそれらの製品ならびにブランドおよびブランドメーカーをより認識するようになる機会を増加させる。
【００５６】
図１Ｂに示されるように、ゾーンサイトは、ゾーンゲートウェイ装置１１０（６）によって提供されるゾーンを有するキャッシャーステーション９６を含む。ある態様においては、ゾーンゲートウェイ装置１１０（６）は１つ以上の支払ソリューションをユーザのクライアント装置にチェックアウト中にプッシュ型配信し、それにより、クライアント装置を介してオンライン支払ソリューションを使って購入した品目について支払うことを選択することにより、キャッシャーで支払う必要が回避される。ゾーンゲートウェイ装置１１０は、これにより、そのゾーンおよびゾーンサイトに割り当てられる仮想店頭端末を提供する。消費者の支払選択肢は、参加しているサードパーティ支払ベンダーのリストから選択され、そこでは、選択されたサードパーティ支払ベンダーのサービスおよびバックエンドネットワーク構造はゾーンネットワーク１０６と関連して機能し、トランザクションを処理する。
【００５７】
ゾーンゲートウェイ装置１１０（７）は、消費者またはゾーン利害関係者が消費者によってどのソーンが訪問されたか、消費者によってどのコンテンツがアクセスされたか、チェックアウト前に消費者に対してどの提示または最終販売が提示されたかを、クッキーを介して、閲覧することを許可し得る。ゾーンゲートウェイ装置１１０（７）は、そのゾーンサイトおよび／または別のゾーンサイトにおいて、現在または過去において消費者によって購入された商品／サービスを提供し得る。
【００５８】
１つ以上のゾーンゲートウェイ装置１１０が実施するように構成され得るいくつかの他の一般的機能は、それらに限定されないが、消費者の名前、年齢、発送先住所の確認、消費者による発注、クーポン、およびゾーン利用履歴の評価の許可、過去の購入の物理的場所／取りまとめの確認（店舗内、市、国）、そのゾーンサイトで消費者が購入した品目に関する出荷追跡情報ならびに状態更新の提供を含む。
【００５９】
ゾーンゲートウェイ装置１１０がどのように利用可能かの１つの態様例においては、消費者が薬局にいて、処方された薬または医療器具を購入している。初めての購入時は、適切な使用および薬物の相互作用に関する薬局の説明は、消費者に対する配布以前にしばしば要求される。大抵、消費者は列を作って待つ、および／または、薬剤師が利用可能になるまで待たねばならない。消費者コンテンツは、薬局の場所にわたるゾーンを有するゾーンゲートウェイ装置１１０にロード可能である。このゾーンに接続されている間、消費者は特定データを取得可能であり、それは、ビデオ説明あるいは適切な使用の実演、ＦＡＱに対する答えの入手、薬剤師によって直接にｅメールで、あるいは他の通信型式によって後日返答可能な薬剤師に対する質問の提示を含む。ゾーンゲートウェイ装置１１０は、次に、消費者がビデオを最後まで閲覧したことを確認し、そして薬局が消費者に必要な情報を提供するという法律的要件を満たしたことを適切なサービスに通信する。ゾーンゲートウェイ装置１１０は、次に、薬局のネットワークと通信し、キャッシャーにより販売のための品目を「ロック解除」することができる。このことは、消費者（待つことを避けることによって）および薬剤師（特に一日の内の高トラフィック時において中心的責任から不必要に逸れることを避けることによって）効率を改善するという点で利点がある。他の利点は、消費者によってより容易に理解され、消化され、そして後に再閲覧するためにクライアント装置１０１上に記憶も可能である型式において、重要な健康情報が提供される点である。
【００６０】
別のシナリオ例が、診療所または病院にいる患者に向けられている。ゾーンネットワーク１０６によって提供されるクローズドループ環境は、１つ以上のゾーンゲートウェイ装置１１０が、診療所および／またはその電子的医療記録（ＥＭＲ）提供者によってマネジメントされる外部データベース内に維持される患者データへの、暗号化されたおよび／または識別確認に基づくアクセスを提供するのを可能とすることができる。したがって、教育／啓発情報を、ゾーンを介して患者のクライアント装置１０１に配達可能であり、そのような情報は症状および／またはコンディション特有のものが可能である。ゾーンネットワークを介して実装可能な他のサービスは、それらに限定されないが、予約情報、予約の前に患者によって提供される必要な情報、さまざまな型式の（例えば、ビデオ）付帯情報（例えば、整形外科患者に対する物理的療法情報）、患者−クライアント実時間通信／対話、これには患者の特定ニーズ等に関連するＦＡＱの答えに対する患者のアクセスが含まれる、を含む。
【００６１】
さらに、ゾーンネットワークが利点を提供する別のシナリオ例は、ゾーンサイトがカジノまたはホテルであり、ユーザはプール領域においてゾーンゲートウェイ装置にアクセスし、クライアント装置上に表示されたメニューから食べ物／ドリンクを注文し得る。ゲートウェイ装置１１０によって提供されるコンテンツは、ユーザがユーザのホテルルームに対して食品／ドリンクの代金をつけることを可能とし、あるいは、ユーザがサードパーティ支払ベンダーを使用することを可能にし得る。いったん購入トランザクションが完了すると、注文はホテルのレストランに回され、その注文はユーザがすでに注文に対して支払った旨を表示する。ゲートウェイ装置１１０がユーザが対話を行ったゾーンを知っていることを考慮し、ならびに任意にそのＧＰＳ構成要素を利用していることと合わせて、注文はユーザの場所情報を指定し得、食品／ドリンクは正しい個人に配達可能である。ギャンブルに関しては、カジノにおいてゾーン接続されたときに、クライアント装置に配置される特定アプリケーションをカジノは提供し得る。
【００６２】
別の態様においては、複数のゾーンをスタジアム内に配備可能であり、各ゾーンはスポーツファンがスタジアムにいるときにローカル化コンテンツと対話することを可能とする。さまざまな製品およびサービスコンテンツに加え、ユーザはゲーム中に対話型再生を見ることも可能であり、すべては対応するゾーンゲートウェイ装置からＷｉＦｉを介して提供される。これはスポーツファンに豊富な対話型経験を提供可能であるが、一方通信業者の広帯域無線ネットワークに対する潜在的に重い衝撃を取り除く。
【００６３】
支払サービスがゾーンサイトにおいてゲートウェイ装置１１０によって操作されることを可能とすることは利点があり、それは、製品およびサービスがローカル目録内の在庫能力を超えて販売可能とされるからである。例えば、小売店は「保証された最低価格」、「送料無料」、および他の要因の１つまたはそれ以上の組み合わせを提示し、消費者が店舗（これもゾーンサイトにある）において同一製品のショールームのものの現物を見たときに、ゾーンゲートウェイ装置を介して製品を消費者が購入するように奨励可能である。
【００６４】
図１Ｂに示されるように、ゾーンサイトは燃料制御ステーション９４と通信が行われる１つ以上の給油スタンドを有する燃料アイランド９５を含む。燃料制御ステーション９４はキャッシュレジスタ９６における、あるいはその近くのスイッチに連結され、アイランド９５における給油スタンドの操作は、スタンド制御ステーション９４を介してキャッシャーによって制御される。図１Ｂに示されるように、ゾーンゲートウェイ装置１１０（７）は燃料アイランド９５においてゾーンを提供し、ユニークな消費者コンテンツがスタンドにおけるクライアント装置上に提供可能である。そのような消費者コンテンツは、促販の提示、ロイヤリティポイントおよび／または他のマーケティングキャンペーン獲得の提示を含み得、追加購入等のために建物９９内に訪れるようにユーザを奨励し得る。代わりに、消費者は洗車、オイル交換等の追加サービスの割引を提供されることも可能である。別の例では、ガソリンスタンド所有者は、いったん消費者がその店舗内に足を踏み入れたら、追加販売を促進することも可能である。これを達成するためには、ゲートウェイ装置１１０（７）によって提供される消費者コンテンツは、「私たちの店舗ゾーンにログインし、お買い得品を見てください」と表示し得る。
【００６５】
ゾーンゲートウェイ装置１１０は、ゾーンサイトの異なる領域に物理的に配置されるお蔭で、広告実践を使用して消費者を特定店舗内に行かせ、または別の店舗に訪れさせてゾーンを介して提供される提示を活用するようにし得る。
【００６６】
ある態様においては、以下により詳細に記述されるが、ゲートウェイ装置１１０（７）はウェブベースのオンライン支払ソリューションを提供し、ユーザがクライアント装置を介してオンライン支払を利用して燃料購入に関して支払うことを可能とする。ガソリンスタンドは、消費者は実際にガソリンを注入できるようになる前にガソリンに対して支払わなければならないというポリシーを一般的にもつことを考慮し、ゲートウェイ装置１１０（７）は、オンライン支払ソリューションを利用して支払いが完了したと判定できるようになると、制御ステーション９４（または他の適切なネットワーク使用可能装置）に直接命令コマンドを送り、給油スタンドにおけるバルブを開き、ユーザがガソリンを給油できるようにすることが可能である。
【００６７】
ゾーンゲートウェイ装置１１０は、互いに独立して操作およびマネジメントされることが可能であり、あるいは、ゾーンネットワーク１０６介してデータを共有するために操作およびマネジメントされることが可能である。そのような相互接続ゾーンネットワークは、利用可能ゲートウェイ装置間の協調およびリソース共有を可能とする。例えば、ゲートウェイ装置１１０がゾーンサイト１０６の別の装置と通信することを可能にすることにより、新規または再来消費者が１つのゲートウェイ装置と接続し、それにより、その消費者の認定情報はゾーンサイトにおける他のゲートウェイ装置へ通信される。その結果、ゾーンネットワークは消費者に対して一度だけ登録あるいはログインを要求し、したがって、消費者は複数回ログインをせずにゾーンサイト１０６において如何なるゾーンをも訪問可能である。
【００６８】
図１Ｂに図解されるように、クライアント装置１０１Ｃは２つ以上のゾーンゲートウェイ装置１１０（１）および１１０（２）の範囲内に配置し得る。この態様においては、ユーザが、彼／彼女のクライアント装置１０１と共に、いったんゲートウェイ装置１１０（１）に接続されると、彼女／彼はそのゾーンに歩いて入ると、ゲートウェイ装置１１０（２）によって提供されるゾーンに対して自動的に「渡される」。その結果、ユーザは、ユーザによる追加対話を必要とすることなく、ゾーンゲートウェイ装置１１０（２）から更新された公表コンテンツを自動的に受信する。
【００６９】
この態様に特定すれば、システムはクライアント装置１０１が構成可能クライテリアに基づいて正しいゾーンゲートウェイ装置１１０に接続することを可能とする技法をサポートする。別の態様においては、ユーザは、彼／彼女のクライアント装置１０１を介して、対話するための優先ゾーンを選択するオプションを提供される。さらに別の態様においては、１つ以上のゾーンゲートウェイ装置は別のゾーンゲートウェイ装置（重複ゾーン）のコンテンツをロードされるように事前に構成し、クライアント装置１０１Ｃが両方のゾーンゲートウェイ装置１１０（１）、１１０（２）からコンテンツを受信することを可能とし得る。
【００７０】
図２Ａは、本開示のある態様に従い、システム内で使用するためのネットワーク使用可能ゾーンゲートウェイ装置のブロック図を図解する。図２Ｂは、本開示のある態様に従い、制御センターモジュールを実装するように構成されたネットワーク使用可能装置のブロック図を図解する。
【００７１】
図２Ａにおけるゲートウェイ装置１１０は、１つ以上の装置プロセッサ２００、１つ以上の装置Ｉ／Ｏインターフェース２０２、１つ以上のネットワークインターフェース２０４、ゾーンマネージングモジュール３００を含む１つ以上の装置メモリ２０６、１つ以上の全地球測位システム構成要素２１０および１つ以上の無線使用可能アンテナ２１２を含み、それらすべては１つ以上のバス２０８により互いに連結される。図示されていないが、ゾーンゲートウェイ装置１１０は、ゲートウェイ装置１１０がＢｌｕｅｔｏｏｔｈ、ＮＦＣ、またはあらゆる他の通信媒体プロトコルに関連するデータを通信することを可能とするハードウェアおよび／またはソフトウェア構成要素を実装し得る。図示されていないが、１つ以上のゾーンゲートウェイ装置１１０はＰｏｗｅｒ  ｏｖｅｒ  Ｅｔｈｅｒｎｅｔ（Ｐ．Ｏ．Ｅ．）（すなわち、８０２．３ａｆ／ｔ）を介して他の装置に選択的に電力を供給するように使用可能な物理的ポートを含み得る。
【００７２】
図２Ｂのネットワーク装置１０２は、１つ以上の装置プロセッサ２００'、１つ以上の装置Ｉ／Ｏインターフェース２０２'、１つ以上のネットワークインターフェース２０４'、および制御モジュール４００を含む１つ以上の装置メモリ２０６'を含み、それらのすべては１つ以上のバス２０８'によって互いに連結される。ゾーンマネージャーモジュール３００および制御モジュール４００は、装置メモリ２０６、２０６'の非一時的コンピュータ媒体あるいは装置１０２、１１０の外部の他の遠隔メモリ上に実体的に具現される実行可能なソフトウェアコードとして実装される。
【００７３】
装置プロセッサ２００、２００'は、それぞれのローカル装置メモリ２０６、２０６'または遠隔装置メモリ（示されない）内に記憶される、コンピュータ／機械可読および実行可能な命令を実行するように構成された１つ以上のマイクロプロセッサを備える。そのような命令は、プロセッサ２００、２００'によって実装され、本明細書中に記述される本システムに関連して記述される１つ以上の機能を実施する。プロセッサ２００、２００'は他の型式および／またはプロセッサの組み合わせを含み得、それらは、デジタル信号プロセッサ、マイクロコントローラ、アプリケーション固有集積回路（「ＡＳＩＣ」）、プログラム式論理装置（「ＰＬＤ」）、フィールドプログラム式論理装置（「ＦＰＬＤ」）、フィールドプログラム式ゲートアレイ（「ＦＰＧＡ」）等であることを理解されたい。
【００７４】
装置Ｉ／Ｏインターフェース２０２、２０２'は、１つ以上のユーザ入力および出力装置インターフェース機構を備える。インターフェースは、コンピュータキーボード、タッチパッド、タッチスクリーン、マウス、表示装置、および対応する物理ポートならびに基底支持ハードウェアおよびソフトウェアを含み、一人以上のゾーン利害関係者によるアクセスを可能とし得る。装置Ｉ／Ｏインターフェース２０２、２０２'は１つ以上のハードウェア構成要素として上に記述されるが、インターフェース２０２、２０２'はソフトウェアとして構成し、ゾーン利害関係者はユーザインターフェースを介して別のコンピューティングデバイスからゾーンネットワークにアクセス可能となることを理解されたい。そのような通信は、それらに限定されないが、ユーザデータ入力の受け付けおよび出力情報のユーザへの提供、プログラミング、１つ以上のメモリ装置へのアクセスおよび対応装置によって実行される１つ以上の機能の管理等を含む。
【００７５】
ネットワークインターフェース２０４、２０４'は、ゾーンホットスポットを介してさまざまなクライアント装置１０１と、また、ネットワーク１０４を介してサーバ装置１０２と、ＴＣＰ／ＩＰまたは他の通信において装置１０２、１１０が動作することを可能とする１つ以上の機構を含む。ネットワークインターフェース２０４ならびにアンテナ２１２は、クライアント装置および他のゾーンゲートウェイ装置１１０と通信するための８０２．１１無線プロトコルをサポートするばかりでなく、安全なまたは安全でない通信接続を介して制御センター４００と通信を行うように構成可能である。これらの「バックサイド」またはサーバサイド接続は、結線Ｅｔｈｅｒｎｅｔ、無線Ｅｔｈｅｒｎｅｔ固定電話回線、ケーブル、Ｔ１、Ｔ２、Ｔ３ネットワーク、ならびに３Ｇ／４Ｇサポートモバイルセル式ネットワークを使用して実施し得る。しかしながら、ネットワークインターフェース２０４、２０４'は、他の通信プロトコルおよびネットワークの各型式との使用のために構築し得ることが考えられる。ネットワークインターフェース２０４、２０４'はトランシーバ、送受信装置、またはネットワークインターフェースカード（ＮＩＣ）としてときどき参照され、これは１つ以上のネットワークを介してネットワークデータパケットを送信および受信する。
【００７６】
さらに、ネットワークインターフェース２０４、２０４'は、それぞれの装置をシステム１００内の他のネットワーク装置と連結するために、Ｅｔｈｅｒｎｅｔポート等の１つ以上の物理ポートを含み得る。さらに、ネットワークインターフェース２０４、２０４'は、それぞれの装置等を構成するための装置マネジメント関連データ等の特定型式のネットワークデータの受信および／または送信専用の特定物理ポートを含み得る。
【００７７】
バス２０８、２０８'は、１つ以上の内部装置構成要素通信バス、リンク、ブリッジ、およびバスコントローラおよび／またはアービタ等の指示構成要素を備え得る。バス２０８、２０８'は装置１０２、１１０のさまざまな構成要素を互いに通信可能とする。しかしながら、バス２０８、２０８'はそれぞれの装置１０２、１１０の１つ以上の構成要素が他の装置内の構成要素とも通信できるようにし得ることは考えられる。バスの例は、ＨｙｐｅｒＴｒａｎｓｐｏｒｔ、ＰＣＩ、ＰＣＩ  Ｅｘｐｒｅｓｓ、ＩｎｆｉｎｉＢａｎｄ、ＵＳＢ、Ｆｉｒｅｗｉｒｅ、Ｓｅｒｉａｌ  ＡＴＡ（ＳＡＴＡ）、ＳＣＳＩ、ＩＤＥおよびＡＧＰバスを含む。しかしながら、他の型式および数のバスを使用し得ることは考えられ、その場合、特定型式および取りまとめのバスは、バス２０８、２０８'を収容する装置１０２、１１０の特定構成に依存する。
【００７８】
装置メモリ２０６、２０６'は、非一時的コンピュータ可読媒体を含み、すなわち、機械／プロセッサ可読記憶媒体の例である、コンピュータ可読またはプロセッサ可読記憶媒体である。コンピュータ可読記憶／機械−可読記憶媒体は、情報の記憶のためにあらゆる方法または技術において実装される揮発性、不揮発性、取り外し可能、および取り外し不可能媒体を含み得る。コンピュータ可読記憶媒体の例は、ＲＡＭ、ＢＩＯＳ、ＲＯＭ、ＥＥＰＲＯＭ、フラッシュ／ファームウェアメモリまたは他のメモリ技術、ＣＤ−ＲＯＭ、デジタル汎用ディスク（ＤＶＤ）または他の光学記憶装置、磁気カセット、磁気テープ、磁気ディスク記憶装置または他の磁気記憶装置、あるいは希望する情報を記憶するために使用可能なあらゆる他の非一時的媒体を含む。そのような希望する情報はデータおよび／またはコンピュータ／機械で実行可能な命令を含み、装置１０２、１１０によってアクセス可能である。
【００７９】
そのような記憶媒体は、コンピュータ可読／機械で実行可能な命令、データ構造、プログラムモジュールおよび構成要素、またはその他のデータを記憶し、それらは装置プロセッサ２００、２００'等の１つ以上のプロセッサによって得られ、かつ／または実行され得る。そのような記憶された命令は、プロセッサが行為を実施することを可能とし、それには、装置１０２、１１０の一般的動作を制御するためのオペレーティングシステムの実装を含む。ある態様においては、装置メモリ２０６は、ユーザプロファイル、コンテンツプロファイル、ポリシー情報、アンテナ利得および方向命令等のネットワークインターフェースデータ、一般的および特定装置動作情報、商人プロファイル、スポンサープロファイル、オンライン支払ミドルウェア、公表およびビジネス規則、ＱｏＳ規則等を記憶可能である。しかしながら、上に列挙されたデータのいくつかまたはすべては、１つ以上の他の安全なデータベース１０に記憶し得ることに注目されたい。
【００８０】
ある態様においては、図２Ａに示されるように、ゲートウェイ装置１１０は１つ以上のＧＰＳ構成要素２１０を含み、これはゾーンサイト１０６におけるゾーンおよび／またはゾーン内の１つ以上のクライアント装置１０１の位置を判定するために使用可能である。ＧＰＳ構成要素２１０はハードウェアおよび／またはソフトウェアベースの構成要素で、クライアント装置１０１の信号強度を監視してその位置を特定する。しかしながら、ＧＰＳ構成要素２１０はゲートウェイ装置１１０内の他の構成要素と共に操作されてゾーンネットワーク内の他のゾーンゲートウェイ装置との通信を可能とし、三角測量技術を実施して１つ以上のクライアント装置１０１の位置を判定する。
【００８１】
図２Ａに示されるように、ゲートウェイ装置１１０は、ＷｉＦｉ接続に関連する無線信号を生成するように構成された１つ以上のアンテナ２１２を含む。アンテナ２１２は、したがって、一人以上のゾーン利害関係者によって提供される命令に基づき、割り当てられた利得および方向の無線信号を伝搬させる。アンテナ２１２はゲートウェイ装置１１０に対して外部的または内部的であり得る。さらに、ゾーンゲートウェイ装置１１０は、ただ１つのアンテナで、あるいは複数の個々のアンテナで構成され得る。アンテナ２１２は既知データ通信プロトコルと関連して動作するように構成され、これには無線通信プロトコルの８０２．１１ファミリー、Ｗｉｒｅｌｅｓｓ  Ｇｉｇａｂｉｔ  Ａｌｌｉａｎｃｅ（ＷｉＧｉｇ）プロトコル等を含む。
【００８２】
図３は、本開示のある態様に従う、ゾーンゲートウェイ装置のゾーンマネージャーモジュールのブロック図を図解する。図３に示されるように、ゾーンマネージングモジュール３００（「ゾーンマネージャー」としても参照される）は、ネットワーク取扱者モジュール３０２、クライアント装置取扱者モジュール３０４、コンテンツ取扱者モジュール３０６、アプリケーション取扱者モジュール３０８、分析取扱者モジュール３１０、およびソーシャルメディア取扱者モジュール３１２を含み得る。ゾーンマネージャーのさまざまなモジュールは、新規システムを記述するための例示であることに注意されたく、そしていかなる方法においても限定しているものと解釈されてはならない。
【００８３】
ある態様においては、ネットワーク取扱者３０２はゾーンゲートウェイ装置１１０と１つ以上のサーバ装置１０２、専用商人装置（例えば、ガソリン燃料制御装置、キャッシャー端末）および／またはゾーンネットワーク１０６内のその他のゲートウェイ装置１１０間の効果的通信を可能とするように構成される。以下に論議されるが、１つ以上のゲートウェイ装置１１０は、制御モジュール４００を介して１つ以上のゾーン利害関係者によって遠隔的にアクセスおよび／または構成され得る。ネットワーク取扱者３０２は、ゾーンゲートウェイ装置１１０と制御モジュール４００を操作するネットワーク装置との間での、ネットワークインターフェース２０４および／またはアンテナ２１２を介して通信されるデータの取扱い、ならびにその適切な接続、ならびに、他のネットワーク使用可能装置および関連アプリケーション（例えば、オンラインサードパーティ支払トランザクションサーバ）と通信されるデータの取扱いを実施する。
【００８４】
クライアント装置取扱者モジュール３０４は、機能を実施するように構成され、これはクライアント装置１０１との一般的通信を含む（例えば、会員資格、ロイヤリティプログラム、ユーザプロファイル、カスタマイズされた消費者経験）。会員資格に関しては、クライアント装置取扱者３０４は新規ユーザ会員登録テンプレートの表示、新規会員資格に関するユーザ情報の受信、およびそのような情報のメモリ内への記憶により、ユーザに関する新規会員資格の会員登録を行い得る。ある態様においては、クライアント装置取扱者モジュール３０４はユーザの署名ページを表示し、ユーザから入力されるログインおよびパスワード情報を受信し得る。クライアント装置取扱者モジュール３０４は１つ以上のメモリ／データベースからの既存会員資格にアクセスおよび／または修正するように構成され得る。会員資格データは、特定ゾーンゲートウェイ装置１１０にローカルなメモリ内に記憶されることを考慮されたい。しかしながら、会員資格データが、総体のゾーンネットワーク内の２つ以上のゾーンゲートウェイ装置によりアクセス可能な１つ以上のデータベース１０に記憶されることは可能である。１つ以上のデータベース１０は一人以上のゾーン利害関係者によって会員資格データとして所有され、操作され得、そしてメタデータはビジネス上の取りまとめによって、ゾーン利害関係者のいずれかの財産であることが可能である。
【００８５】
ある態様においては、ユーザは、彼の／彼女のクライアント装置１０１から、または別のコンピューティングデバイスを通して、ウェブサイト、店頭装置、キヨスク等を介し、ゾーンシステムに会員登録可能である。ある態様においては、ユーザはゾーンシステムに会員登録し、１つのゾーンサイトだけにアクセスできるが、ユーザは代替的に全利用可能ゾーンサイト中の全ゾーンにアクセス可能であることも考えられる。
【００８６】
会員登録時、ゲートウェイ装置１１０および／または１つ以上のデータベース１０にローカルに記憶されたユーザについてユーザプロファイルが作成される。ユーザプロファイルはユーザの情報を含み、ユーザの１つ以上の登録済みクライアント装置１０１、ゾーンサイトおよび／またはゾーンネットワーク閲覧履歴、ダウンロード履歴、購入履歴、ロイヤリティプロファイル履歴、ユーザの製品／サービス嗜好に関する情報を提供するユーザのサードパーティ分析データ、ユーザの興味に関連するデータならびに位置および／または店舗に基づくユーザの購入見込みに関連するデータ、ユーザのクレジットカード、あるいは他の支払オプション、製品保証ならびに関連文書、レシート、言語優先性等に関する情報を識別する。
【００８７】
ある態様においては、ユーザプロファイル内に記憶されるユーザの情報は、彼／彼女のクライアント装置１０１を介し、手作業により当該情報を入力し、ユーザによって提供され得る。代替的ユーザ情報はサードパーティデータベースからインポートされ、そしてユーザプロファイル内に記憶可能である。
【００８８】
ある態様においては、会員登録層はゾーンシステムによってユーザに対して提示可能である。例えば、特定ゾーンサイトにおける会員登録キャンペーン中は、ユーザはＳＭＳテキストメッセージを会員登録番号に送信、あるいは電子メールアドレスに電子メールを送るように要請され得る。ユーザがテキストを送るか、この情報を電子メールすると、ゾーンシステムはユーザの携帯電話番号または電子メールアドレスを有することになり、会員登録を完了し、オンライン会員登録フォームに支払情報と共に、または無しで口座を作成するようにユーザを奨励する。任意選択により、ユーザのクライアント装置ＭＡＣアドレスは初期会員登録の一部として使用され得、また新規に作成されるユーザプロファイルと関連される。ある態様では、ゾーンシステムは、分析目的のために、他のゾーンゲートウェイ装置とのクライアント装置の対話を追跡するためにクライアント装置のＭＡＣアドレスを利用し得る。任意選択により、ＭＡＣアドレスはプライバシー規制に準拠するように匿名化可能である。
【００８９】
ある態様においては、クライアント取扱者３０４はユーザならびに彼／彼女のクライアント装置１０１に関して認証手順を実施し、ユーザが、再度ログインする必要なく、ゾーンサイト（または総体のゾーンネットワーク内のゾーンサイト中）内で異なるゾーン間をユーザが移動することを可能とできる。
【００９０】
ある態様においては、クライアント取扱者３０４はアプリケーション取扱者３０８およびソーシャルメディア取扱者３１２と連携して働き、ユーザが彼／彼女のクライアント装置上で実施するあらゆるブラウザに基づく活動を追跡、記憶し、そして収集されたデータを１つ以上のソフトウェアアプリケーションおよび／またはソーシャルメディアサイトに提供することは可能である。そのようなブラウザに基づく活動の一例は、ユーザが彼／彼女が別の時間に閲覧したい特定製品またはサービスを「ブックマーク」または「お気に入り」として選択するときである。クライアント装置１０１はこの行為をゲートウェイ装置１１０に通信し、ゲートウェイ装置は選択された内部ＵＲＬ（コンテンツページから）を、同等情報を有する外部的アクセス可能ＵＲＬに翻訳し、これにより、翻訳されたＵＲＬは特定ゾーンに関するユーザプロファイル内に記憶される。ブックマークされた情報は、彼女／彼がゾーン内にいるときにユーザに利用可能な合計コンテンツの単にサブセット（例えば、「ティーザ」）であり得、そのユーザがそのゾーンに戻るための誘因として機能し得る。したがって、ユーザ選択ブックマークと共に記憶された情報は、地理的マッピングアプリケーションを提供可能であり、ユーザは将来において、記憶されたブックマーク情報と共に提供されるＧＰＳマッピング命令を使用してその特定ゾーンを見つけることができる。任意に、ユーザが以前に訪問した１つ以上のゾーンの全コンテンツは、ウェブページを介してユーザによってアクセスされ得る。
【００９１】
ゾーンマネージングモジュール３００のコンテンツ取扱者モジュール３０６はローカルに記憶されたコンテンツプロファイルに従って、消費者コンテンツを、ゲートウェイ装置１１０に接続されたクライアント装置１０１に対して公表およびプッシュ型配信するように構成される。ある態様においては、コンテンツ取扱者モジュール３０６はクライアント取扱者モジュール３０４と連携して働き、ゾーンならびにユーザのプロファイルにとって固有のおよびユニークなコンテンツデータを公表する。
【００９２】
ゾーンマネージャーモジュール３００のアプリケーション取扱者３０８はサードパーティ開発ソフトウェアアプリケーションが、ゾーンゲートウェイ装置１１０および／またはクライアント装置１０１上で実行可能とする。アプリケーション取扱者３０８によって取り扱われるアプリケーションの非限定例のいくつかは、モバイル支払サービス、ロイヤリティプログラム、ゲーム、チャットアプリケーション、ウィジェット、リンク等を含む。
【００９３】
モバイル支払サービスに関し、ゾーンゲートウェイ装置１１０は、１つ以上のサードパーティ支払ベンダー（例えば、ＰａｙＰａｌ、Ｇｏｏｇｌｅ  Ｗａｌｌｅｔ、ＢｉｌｌＭｅＬａｔｅｒ、さまざまなクレジットカードベンダー）によって提供され、操作されるソフトウェアアプリケーションを利用する。特に、アプリケーション取扱者３０８はサードパーティ支払ベンダーＡＰＩまたは他のユーザインターフェースとインターフェースで接続し、機密扱いのユーザデータの安全な取り扱いを確保し、ネットワーク１０４を介して、クライアント装置１０１とサードパーティ支払ベンダーの専用トランザクションサーバとの間のデータの安全な通信を可能とする。したがって、ユーザの視点から見ると、クライアント装置１０１はゲートウェイ装置１１０によって提供される支払ＡＰＩを表示し、ＡＰＩはユーザがどの製品／サービスを彼女／彼が購入したいかを入力し、また彼女／彼が支払いたい額を示すことを可能とする。ユーザが表示されたユーザインターフェース上で「提出」または「購入」ボタンを選択すると、ネットワーク１０４を介して、サードパーティ支払ベンダーのシステムと共に、トランザクション情報がトランザクション取扱者３０８によって取り扱われる。トランザクションの完了後、トランザクション取扱者３０８は、サードパーティ支払ベンダーからクライアント装置１０１に対してデータの中継を取り扱う。
【００９４】
ゾーンマネージャーモジュール３００の分析取扱者モジュール３１０は１つ以上のゾーン内のユーザ活動の追跡および分析を可能とする。ゾーン内あるいはゾーン間のユーザ対話は、インテリジェンス目的のために分析取扱者モジュール３１０によって追跡され得、これにより、追跡情報は１つ以上のサードパーティに付加価値サービスを提供し得る。非限定的な例として、消費者がゾーンにアクセスすることに、彼／彼女の存在は彼／彼女のクレジットカード会社に実時間で信号送信可能であり、ネットワーク１０４を介してゾーンゲートウェイ装置１１０に目標提示を送信することによって応答し、ゾーンゲートウェイ装置１１０は無線で受信された提示をゾーンを介してクライアント装置１０１にプッシュ型配信する。これらの誘因は、追加ポイントを得るために他の識別されたゾーンを訪れるように彼／彼女を動機付けるために、ユーザに提示することも可能である。
【００９５】
ユーザプロファイルに関し、クライアント取扱者３０４はユーザのゾーンシステムの体験を個人化するように構成され、それにより、彼／彼女は目標ロイヤリティ／広告サービスを活用可能である。特にある態様においては、クライアント取扱者３０４は目標アルゴリズムならびに監視された分析（分析取扱者３１０から）を利用し、ユーザに個人化されたコンテンツを作成し得る。ユーザ行動データは、集中化位置に記憶可能で、ユーザに対するローカル目標設定および個人化のためにゾーンゲートウェイ間で共有され、その間、ユーザはゾーンシステム内の任意のゾーンに接続されている。その結果、各商人または開催地の運営者は、ユーザが任意のゾーンに入ったときに個人化から即時利点を得られ、その設立に対しての以前の訪問回数とは比較的独立している。
【００９６】
ゾーンマネージャーモジュール３００のソーシャルネットワークモジュール３１２は、ユーザが、ユーザが所属する１つ以上のソーシャルネットワークを介して一人以上の友人と彼／彼女の体験を共有することを可能とする対話型プラットフォームを提供する。特に、ユーザは、クライアント装置１０１上に表示されるブラウザを介して、１つ以上のソーシャルネットワークラジオボタンを選択して、チェックインあるいは彼／彼女のソーシャルネットワーク内の友人との他の対話を共有可能である。ある態様においては、ユーザは、彼／彼女のクライアント装置上のブラウザを介して、ゲートウェイ装置１１０によりコンテンツとして示される製品またはサービスの「物理的のような」同等物を実施可能である。言い換えれば、ユーザは、製品またはサービスを「好む」ことにより、彼の装置１０１上のブラウザに製品にタグを付けさせ、そのタグをユーザのソーシャルネットワークで共有し、一方、ユーザがその製品に物理的に近いことも確認する。ネットワークの会員からの推薦ならびに他の関連メタデータは、関連データベース内に記憶可能で、そして訪問ユーザによってゾーンを介して容易にアクセス可能である。ある態様においては、ゲートウェイ装置は秘訣、推薦製品を交換するため、または彼らの経験を比較するために、ＷｉＦｉゾーンを通してテキストまたは他の他者との実時間メッセージの送信および受信をユーザに可能とし得る。
【００９７】
ある態様においては、一人以上のゾーン利害関係者は、会員登録ラリー、ディスカウントソーシャルグループ購買イベント、または対話型ゲーム等のソーシャルネットワークに基づく誘因プログラムを実行し、同一あるいは他のゾーン内の他のユーザの参加を奨励する。ある態様においては、ゲートウェイ装置１１０は既存ソーシャルネットワークサイトの通信能力と提携して、グループ購入イベントへの参加等の、任意のゾーン内における既存のあるいは臨時の購入機会についてユーザの友人に通知するために使用可能である。
【００９８】
ある態様においては、分析取扱者３１０はソーシャルメディア取扱者３１２とインターフェースで接続し、ソーシャルネットワークプラットフォームにおいて論議される製品／サービスのユーザ活動データを監視および追跡し得、ユーザ活動データを、事前にユーザの許可を得て、商人、ゾーン管理者、またはゾーンスポンサーが利用可能にできる。例えば、ネットワークツールを介して監視されるユーザ活動は、ユーザによる最初の掲示が掲示された後のゾーンを訪れた訪問者数、初期掲示に関していくつのメッセージまたは論議が発生したか、コメントの型式、他の友人による好みの数等に関する分析情報を提供可能である。
【００９９】
ソーシャルメディア取扱者３１２は既存のサードパーティソーシャルネットワーク（例えば、フェイスブック、ツィッター、フォースクェア）から独立して動作可能であり、ユーザの社会的対話はそれらのサードパーティソーシャルネットワークにより共有される場合もされない場合もあり得る。このように、１つの実施形態においては、ソーシャルネットワークは厳密にゾーン内において、またはゾーン間において存在可能であり、ゾーン固有のローカル化コンテンツに対するアクセスを提供できるのみである。ソーシャルネットワークは匿名対話も可能とする。会員が、匿名のまま残ることを好むかどうか示すために、オプトアウト／オプトインをし得る。１つの実施形態では、サードパーティソーシャルネットワークのいくつかの特徴は、ゾーン提供者のソーシャルネットワークにローカル化し得る。例えば、ソーシャルネットワークは、システムにやはり会員登録され、および／またはゾーンに存在し、および／または特定製品またはサービス等に対して好みを識別した、サードパーティネットワークソーシャル接続（「友人」とも称する）を示すことが可能である。個人化提示はソーシャルグループ行動を扇動するようにも適合され得る。
【０１００】
ある態様においては、ゾーン活動データもオンラインポータルに集められ、会員が利用可能とすることが可能であり、これはＴｗｉｔｔｅｒおよびその他のようにソーシャルネットワークおよびマイクロブログサービスに類似する。そのようなポータルへの訪問者は、最も人気のあるゾーン活動等の傾向を見ることができ、あるいは、キーワードセット、例えば「ハイブリッドカーセール」を売り物にするゾーン、に基づいて、このサイトを使用してゾーンを位置決め可能である。さらに、モバイル装置上でサポートされる、位置特定に基づく地理的マッピングアプリケーションは、興味のある消費者を特定ゾーンに向けることもできる。
【０１０１】
ゾーンマネージングモジュール３００の１つ以上の前述モジュールは、図３に示されるように、１つ以上のデータベース１０に関し、自由にデータを記憶および取得可能である。
【０１０２】
図４Ａは本開示のある態様に従う、制御センターモジュールのブロック図を図解する。前述の多くは、ゾーンゲートウェイ装置１１０上で実施される機能に向けられている。しかしながら、前述のように、各ゾーンゲートウェイ装置１１０は制御モジュール４００を使って遠隔的にアクセスおよび構成可能である。図２Ｂに示されるように、制御モジュール４００はプロセッサで実行可能なソフトウェア構成要素であり、１つ以上のサーバまたは他のネットワーク装置（ラップトップ、タブレット）上で実行し、したがって、制御モジュール４００は一人以上のゾーン利害関係者がゾーンゲートウェイ装置１１０ならびに多くの異なる地理的に離れたゾーンサイト内、または間の、ゾーンネットワーク全体の動作を制御することを可能とする。
【０１０３】
図４Ａに示されるように、制御モジュール４００はポータルインターフェース４０２、ゾーンネットワークインターフェース４０４、ネットワークマネジメントモジュール４０６、コンテンツマネジメントモジュール４０８、管理モジュール４１０、広告モジュール４１２、アプリケーションモジュール４１４、トランザクションプラットフォーム４１６、および分析プラットフォーム４１８を含む。１つ以上の前述のモジュールおよび／またはプラットフォームは、１つ以上のデータベース１０においてデータに対して自由にアクセス、記憶、および取得するように構成される。
【０１０４】
ポータルインターフェース４０２はユーザインターフェースを提供し、これを通って、一人以上のゾーン利害関係者は制御モジュール４００にアクセスし、ゾーンゲートウェイ装置および／またはゾーンネットワークを構成することができる。ポータルインターフェース４０２は、各ゾーン利害関係者が安全性またはクリアランスプロトコルに違反しないことを確保するためにアクセスおよび安全性ポリシーを確立し、修正し、施行する等の取り扱いをするように構成される。ポータルインターフェース４０２は消費者コンテンツを提供するゾーン利害関係者のための会計サービスを提供し、また消費者プロファイル、装置、および利害関係者商人をゾーンネットワークに追加するためのツールおよびリソースを提供可能である。
【０１０５】
ゾーンネットワークインターフェース４０４は、ポータルインターフェース４０２およびネットワークマネジメントモジュール４０６と提携して働き、正しい構成、ポリシー、コンテンツおよび他のデータが正しく意図されたゾーンゲートウェイ装置に通信されること、またゾーンネットワーク１０６から受信されたユーザデータおよびその他の機密扱いのデータが適切なデータベース１０内に記憶されることを確保する。
【０１０６】
ネットワークマネジメントモジュール４０６はゾーンネットワーク１０６に関する生成操作および構成データを取り扱う。ある態様においては、ネットワークマネジメントモジュール４０６は、ゾーンネットワーク管理者による、ゾーンサイトにおける新規ゾーンネットワークの設定および構成、既存ゾーンサイトに追加される新規ゲートウェイ装置１１０の設定および構成、既存ゾーンゲートウェイ装置１１０の更新、ゾーンサイトのネットワーク内またはゾーンサイト間におけるネットワークトラフィックおよび負荷バランス分析の指揮、１つ以上のゾーンゲートウェイ装置１１０および／またはゾーンネットワークサイトにおける正常性および診断処理の指揮、アンテナ利得および方向設定の構成、任意の特定ゾーンゲートウェイ装置１１０に関する外部インターネットアクセス設定の構成ならびにあらゆる他の適切な設定の構成、総体的一般動作データの構成等を可能とする。
【０１０７】
ネットワークマネジメントモジュール４０６は、全体のゾーン構造内にゾーンネットワーク１０６のいくつかまたはすべてのデータを記憶および取り扱うようにも構成される。そのようなデータは、それらに限定されないが、各ゾーンサイト自身の実際の物理的レイアウト、ならびに、すべてのゾーンゲートウェイ装置１１０がゾーンサイトにおいて物理的に配置される位置を含む。この情報は、ポータルによって提供されるユーザインターフェースを介して図形的および／または非図形的型式で適切な利害関係者に提出可能である。ネットワークマネジメントモジュール４０６によって取り扱われる他の情報は、それらに限定されないが、ゾーンサイト１０６に関する商人の情報（例えば、運搬される製品、店の型式、商人がローカル／地域的／国家的／国際的であるか、他の商人によって操作される他のゾーンサイトの位置）を含む。
【０１０８】
ネットワークマネジメントモジュール４０６は、ゾーンサイト１０６において各対応するゲートウェイ装置１１０に記憶されるコンテンツプロファイルに関するデータも記憶および取り扱う。特に、ネットワークマネジメントモジュール４０６はあらゆるゾーンサイトにおけるゾーンゲートウェイ装置のネットワークアドレスに関する情報、ならびにそれらのそれぞれの配達ポリシーに関する情報を記憶し得る。ネットワークマネジメントモジュール４０６は、ゾーン構造にアクセスするすべてのゾーン利害関係者に割り当てられるさまざまな安全性クリアランスに関連するデータを記憶および取り扱う。
【０１０９】
コンテンツマネジメントモジュール４０８は、コンテンツプロバイダ利害関係者が、それぞれの消費者コンテンツを作成、アップロード、マネジメント、および評価するのを可能とする。以前に述べたように、消費者コンテンツを提供する利害関係者は、総体のコンテンツテンプレートを構成するテンプレート構成要素を購入またはリースする。コンテンツプロバイダが支払う契約に基づき、彼らは、特定サイズのコンテンツテンプレートならびにそれぞれのテンプレート構成要素が表示されるコンテンツページに現れる位置が与えられる。例えば、図４Ｂに示されるように、テンプレート構成要素Ａ３はより大きく、そしてコンテンツテンプレート１１２Ａ上の中央領域内に配置され、そこでは、テンプレート構成要素Ａ１は比較的小さい。この例では、テンプレート構成要素Ａ３のコストは、テンプレート構成要素Ａ１よりもおそらく大きいであろう。
【０１１０】
コンテンツマネジメントモジュール４０８は、ゾーン管理者等の利害関係者が、ゾーンポータルユーザインターフェースを介してさまざまなコンテンツテンプレートを作成および設計することも可能とする。したがって、ゾーン管理者は、コンテンツマネジメントモジュール４０８を利用して、テンプレート１１２Ａ（１）、１１２Ａ（２）、１１２Ｂ（１）、１１２Ｂ（２）を作成、設計し、その後それらは興味のあるコンテンツプロバイダ利害関係者に対して販売／レンタルのために掲げられる。言い換えれば、ゾーン管理者はさまざまなテンプレート構成要素を認可し、またコンテンツプロバイダに対してアクセス／サービスを提供し、彼らが支払ったテンプレート構成要素をマネジメントし、実行することができるようにし、それらすべては商人プロファイルおよび／またはスポンサープロファイル内に記憶される。テンプレートはさまざまな業界に関して定義可能であり、例えば、小売業者、旅行業者、ツアー業者、フードサービス、イベント／コンサートプロモータ、フェアの主催者、政党主催ラリー、自動車ディーラー、健康管理／病院所有者、ショッピングセンター運営者、スポーツ開催地、政府および軍事建物ならびにオペレーションセンターおよびローカル化ゾーンに対する豊富なコンテンツの遠隔分配およびマネジメントが望ましいその他の利用である。コンテンツマネジメントモジュール４０８は、コンテンツスポンサーまたは他のゾーン利害関係者が実時間で、目標の通信、広告、マーケティングと結ばれ得るニュースの更新等を、１つ以上のテンプレート構成要素にアップロードすることを可能とする。新規にアップロードされたコンテンツが配備される準備ができたら、ゾーンマネージングモジュール３００はその後直ちに（あるいはコンテンツ利害関係者によって指定された、あるいは指定されていない別の時刻において）更新されたテンプレート構成要素を、コンテンツ利害関係者によって識別された１つ以上のゾーンゲートウェイ装置に送信する。
【０１１１】
管理モジュール４１０は売上勘定に関するデータを取り扱うように構成され、そして特に、商人契約／価格設定を記憶する会計システムの提供、請求／報告機能の実施ならびに会計およびユーザ管理ポリシーのマネジメントを行うように構成される。管理モジュール４１０は、以下により詳細に論議されるが、ネットワークマネジメントモジュール４０６およびコンテンツマネジメントモジュール４０８によって使用される商人プロファイルを提供する。
【０１１２】
図４Ｂは、本開示のある態様に従う、制御センターモジュールのネットワークマネジメントモジュールのブロック図を図解する。図４Ｂに示されるように、ネットワークマネジメントモジュール４０６はゲートウェイ装置マネージャー４２０、配達サービスマネージャー４２２、およびポリシーマネージャー４２４を含む。ゲートウェイ装置マネージャー４２０は、ゾーンネットワーク１０６に加えられる新規ゲートウェイ装置１１０に関する登録および認証処理を実施する。ゲートウェイ装置マネージャー４２０は消費者コンテンツに関する認証キーおよび暗号化ＵＲＬのアップロードおよび注入も行い、消費者コンテンツが安全となり、ＤＮＳ攻撃あるいは他の悪意の活動の対象とならないようにする。ゲートウェイ装置マネージャー４２０は記憶されたスポンサーおよび商人プロファイル情報を考慮に入れ、正しい消費者コンテンツが、スポンサー／商人プロファイルに従って正しいゾーンゲートウェイ装置に分配されることを確実にする。
【０１１３】
配達サービスマネージャー４２２はゾーンネットワーク１０６内のさまざまなゾーンゲートウェイ装置のマネジメントを集中化し、またさまざまなポリシーおよびプロトコルを提供してゾーンサイト、商人、コンテンツ運営者または他のゾーン利害関係者に関わらず、適切なゾーンゲートウェイ装置１１０に対する消費者コンテンツの最適化分配を確実にする。配達サービスマネージャー４２２はサービス品質（ＱｏＳ）標準に関連する設定された配達ポリシー、広告モジュールによって捕獲されるビジネスルール、ならびに管理モジュールによって取り扱われる商人プロファイルに基づき、さまざまなコンテンツプロファイルにロードされる消費者コンテンツを分配する。したがって、配達サービスマネージャー４２２は識別されたゾーンゲートウェイ装置に分配される識別されたコンテンツプロファイルのスケジューリングを取扱い、調整する。配達サービスマネージャー４２２は、記憶されたコンテンツメタデータ情報を考慮にいれ、配達ポリシーがスポンサー／商人プロファイルと一致することを確実にする。
【０１１４】
ポリシーマネージャー４２４は適切なゾーンゲートウェイ装置１１０によって施行される割り当てられたポリシーパラメータを提供し、確立されたサービス品質（ＱｏＳ）標準に従う、公表された消費者コンテンツの最適化取り扱いを確実にする。ある態様では、ポリシーマネージャー４２４はコンテンツ優先度、コンテンツサイズ、テンプレート構成要素に許容されるネットワークトラフィックの量、および時間感度情報等のポリシーパラメータを提供する。ポリシーマネージャー４２４は、ユーザ活動の型式、ならびに特定ゾーンゲートウェイ装置１１０が分析目的のために実施する監視の量を識別するポリシーパラメータも提供し得る。
【０１１５】
ある態様においては、ポリシーマネージャー４２４は消費者コンテンツに適用される、安全性のレベルならびに暗号化型式に関するポリシーを含み得る。前述のように、ゾーンゲートウェイ装置１１０はユーザに対してデータを提供するように構成し得、そのデータは、ネットワークを介して送信される前に実施される特定の確立された安全性手順（例えば、ギャンブル検証、ユーザ処方薬物情報）を必要とする特定性質のものである。ゾーンゲートウェイ装置１１０がゲートウェイ装置１１０とクライアント装置１０１の間の「クローズド」ゾーンを提供する能力は、この高く規制された活動をサポートする。さらに、ゾーン利害関係者が彼らの特定アプリケーションをゾーンネットワーク１０６にロードする能力は、彼らが必要な安全性手順をアプリケーションに実装し、それらを適切なゾーンゲートウェイ装置１１０に配備することを可能とするであろう。
【０１１６】
ロイヤリティマネジメントモジュール４１０は利害関係者が、ロイヤリティキャンペーンをマネジメントし、新しいロイヤリティプログラムを提示し、登録ユーザについて蓄積されたおよび／または償還されたユーザロイヤリティの追跡を維持するために使用される。ロイヤリティマネジメントモジュール４１０は既存のロイヤリティプログラムで動作するように、またはサードパーティによって提供される新規ロイヤリティプログラムを導入するように構成される。ロイヤリティマネジメントモジュール４０６は、このように、ゾーンネットワークが既知の、既存カードに基づくロイヤリティプログラムをテコ入れし、それをカードレスのデジタル対話型ロイヤリティプログラムに拡張する能力を提供する。さらなる利点は、ゾーンネットワーク１０６がその能力をテコ入れし、ユーザはロイヤリティプログラムに対応する製品の近くに立っている間、ロイヤリティ特徴を有する消費者コンテンツをユーザの装置１０１に提供する。
【０１１７】
広告モジュール４１２は広告者が、消費者コンテンツ内におかれる広告資料を作成、アップロード、および監視することを可能とするように構成される。広告モジュールは、商人プロファイル内に定義される商人契約および価格設定と関連する広告キャンペーンマネジメント規則を取り扱う。キャンペーンマネジメント規則は配達サービスマネージャー４２２によって取り扱われる配達ポリシー規則内に実装される。
【０１１８】
アプリケーションモジュール４１４は、サードパーティソフトウェアアプリケーションがゾーンネットワーク１０６内に実装されることを可能とするために構成される。特に、アプリケーションモジュール４１４はゾーンネットワーク１０６上で実行されるアプリケーションと、ゾーンネットワーク１０６ならびに個々のゲートウェイ装置１１０の構造との間でも相互運用性および構成を可能とする。ある態様においては、アプリケーションモジュール４１４はソフトウェアアプリケーションがゾーンネットワークデータベース１０内にアップロードされ、記憶されることを可能にし得る。別の態様においては、ソフトウェアアプリケーションは別のネットワークシステム内に記憶され、これにより、アプリケーションモジュール４１４は他のネットワークシステムにアクセスしてアプリケーションを実行する。この態様では、アプリケーションモジュール４１４は接続を取り扱い、そしてクライアント装置１０１と開発者ネットワークシステム間でプロキシサーバとして機能する。いくつかの非限定的アプリケーション例は、モバイル支払サービス、ロイヤリティプログラム、ゲーム、チャットアプリケーション等である。
【０１１９】
トランザクションプラットフォーム４１６は商人プロファイル内に定義される全トランザクションに関するＱｏＳの施行および性能ポリシーを確保するトランザクションマネジメントおよび監視プラットフォームである。さらに、トランザクションプラットフォーム４１６は、サードパーティ支払ベンダーが、ゾーンネットワーク１０６を介して異なるあいまいな支払ソリューションを配備、実装するのを可能とするように構成される。
【０１２０】
分析プラットフォーム４１８は、ゾーンネットワーク１０６を介して、ユーザ活動に関するデータの監視、追跡、分析および報告を行う。分析プラットフォーム４１８はオンラインおよび／またはサードパーティ分析が、任意のゾーンにおける目標設定のために使用されることを可能にする。ある態様においては、彼／彼女の好みのオンラインおよび／または実店舗小売店と関連するユーザの買い物履歴および行動メタデータは、特定ゾーンゲートウェイ装置との履歴に関わりなく、彼／彼女が任意のゾーンゲートウェイ装置と物理的に対話するとき、一人以上のゾーン利害関係者によって目標設定のために使用可能である。
【０１２１】
図５は、本開示のある態様に従う、ゾーンマネージャーモジュールによって実施される方法を少なくとも部分的に図解する流れ図である。図３に示されるように、ユーザはクライアント装置１０１を手に持ち、ゾーンゲートウェイ装置１１０により提供される無線ＷｉＦｉホットスポットゾーンに入り、そこでは、ゾーンゲートウェイ装置１１０はクライアント装置１０１を監視することができる。ゲートウェイ装置１１０は、その後、そのＭＡＣアドレス、または他の識別情報（ブロック５００）により、クライアント装置１０１を識別する。
【０１２２】
ゲートウェイ装置１１０は、クライアント装置１０１と通信することにより、ユーザに関する自動認証手順を実施することができ、これは、例えば、クライアント装置とのチャレンジまたは他の適切な方法の実施である。ゲートウェイ装置１１０が、ユーザが認証されたと判定すると（ブロック５０２）、ゲートウェイ装置１１０は探索を実施し、中央またはローカルメモリからユーザのユーザプロファイルを取得し、その情報を処理する（ブロック５０６）。
【０１２３】
しかしながら、ゲートウェイ装置１１０が、ユーザがまだ認証されていないと判定した場合は（ブロック５０２）、ゲートウェイ装置１１０はユーザが新規ユーザであるのかまたは既存ユーザであるのかを判定する（ブロック５０４）。ユーザが新規ユーザである場合には、ゲートウェイ装置１１０はそのユーザについて新規会員登録処理を実施し（ブロック５１６）、そこでは、ユーザ入力情報が受信されると、ユーザプロファイル内に記憶される（ブロック５１８）。ユーザプロファイル情報は、次に、ゲートウェイ装置によって使用されてクライアント装置１０１にピングを送り、応答を待つ（ブロック５０８）。ピングは、彼／彼女がゾーンネットワークに加わることをユーザに要求する型式、あるいは、単にユーザのクライアント装置１０１上に歓迎（またはお帰りなさい）ページを表示することが可能である。
【０１２４】
ゲートウェイ装置１１０は、その後、ローカルメモリに記憶される、ローカルに記憶されたコンテンツプロファイルを取得し（ブロック５１０）、それによって、ゲートウェイ装置はそのゾーンに関するユーザプロファイルおよびコンテンツプロファイルに基づき、ユーザに対してカスタマイズされたゾーン固有コンテンツページを生成する（ブロック５１２）。この生成されたコンテンツページは、次に、クライアント装置１０１に送信される（ブロック５１４）。
【０１２５】
ユーザの入力選択は、無線でゾーンゲートウェイ装置１１０に送信され、クライアント装置から直接選択入力を受信し、その後、適切な消費者コンテンツページをプッシュ型配信するか、要求されたウェブサービス（例えば、オーディオファイル、ビデオファイル）をクライアント装置に提供する。ゲートウェイ装置１１０はユーザ活動ならびにユーザによって作成される入力情報または選択をデータベース１０に記憶する。
【０１２６】
図６は、本開示のある態様に従い、制御モジュールによって実施される方法を少なくとも部分的に図解する流れ図である。図６に示されるように、スポンサーまたは商人等のゾーン利害関係者が制御モジュール４００にログインすると、制御モジュールは特定ゾーン利害関係者のプロファイル（例えば、商人プロファイル、スポンサープロファイル）にアクセスする（ブロック６００）。制御モジュール４００は、利害関係者のプロファイルの処理を終えると、利害関係者に所有された／認可された１つ以上のコンテンツプロファイルおよび／またはテンプレート構成要素にアクセスできるようになる（ブロック６０２）。制御モジュール４００は、その後、利害関係者に対して実施するさまざまなオプションを提供し、それらは、新規コンテンツの追加、コンテンツの削除、コンテンツの変更等である（ブロック６０４）。利害関係者に提供される他のデータは、ゾーンネットワーク内のさまざまな識別されたゲートウェイ装置であり、利害関係者によって所有／操作されるテンプレート構成要素を有するローカルにロードされたコンテンツプロファイルを有する。
【０１２７】
制御モジュール４００は、彼女／彼が更新を望む１つ以上のコンテンツテンプレートまたは全体のコンテンツプロファイルを識別する選択物を、利害関係者から受信し得る（ブロック６０６）。制御モジュール４００はまた、実際のコンテンツを受信するか、あるいは、他のネットワークシステムから直接コンテンツにアクセスするための利害関係者のネットワークシステムとインターフェースで接続するためのリンクを提供され、それにより、コンテンツは利害関係者によって識別される、設計されたコンテンツテンプレート（複数可）に組み込まれる（ブロック６０８）。さらに、制御モジュール４００はどのゾーンゲートウェイ装置１１０が新規コンテンツを受信するか、またいつ配備が生じるかを識別する命令を、利害関係者から受信する（ブロック６１０）。制御モジュール４００は、その後、更新されたコンテンツプロファイルを処理し、それを指定された時刻において１つ以上の識別されたゾーンゲートウェイ装置に配備する（ブロック６１２）。
【０１２８】
実施形態および態様が示され、記述されてきたが、本開示に関する利点を有する当業者には、前述のものより多くの修正が、本明細書中に開示される発明概念から逸脱することなく可能であることが明白であろう。本発明は、それゆえ、添付の請求項の精神に沿う場合を除き、制限されるものではない。
【図１Ａ】
2015501034.tif 000004
【図１Ｂ】
2015501034.tif 000005
【図１Ｃ】
2015501034.tif 000006
【図２Ａ】
2015501034.tif 000007
【図２Ｂ】
2015501034.tif 000008
【図３】
2015501034.tif 000009
【図４Ａ】
2015501034.tif 000010
【図４Ｂ】
2015501034.tif 000011
【図５】
2015501034.tif 000012
【図６】
2015501034.tif 000013
【国際調査報告】
2015501034.tif 000014
2015501034.tif 000015